(57)【要約】【課題】指定された測位精度で測位できない測位要求は、測位を実行せずに拒否することで、移動通信ネットワークの資源の浪費を抑える。【解決手段】端末１がネットワーク５にローミングすると、端末１がサポートしている測位方式を示す測位能力と端末１が在圏する無線アクセスネットワーク（ＲＡＮ）がサポートしている測位方式を示す測位能力とが、ＲＮＣ７１及びＶＭＳＣ／ＳＧＳＮ６１経由で端末１のホームネットワーク４のＨＬＲ／ＨＳＳ５１に通知される。ＬＣＳクライアント２が端末１の測位要求を送信すると、Ｈ−ＧＭＬＣ３１に転送され、算出手段３７により、端末１及びそれが在圏するＲＡＮの測位能力に基づき、期待される測位精度が算出され、ＱｏＳ判定手段３８により、測位要求で指定された測位精度で測位可能かどうかが判定され、測位できない場合、通知手段３９により判定結果がＬＣＳクライアント２に送られ、測位は実行されない。【選択図】  図１０
2004158947.tif 000002
【特許請求の範囲】
【請求項１】
クライアントが、移動体端末の測位を要求するステップと、サーバが、前記クライアントからの測位要求を受け付けるステップと、
サーバが、前記クライアントの要求条件と、測位システムが備える測位能力とを比較し、比較した結果、前記要求条件を満足できない場合には前記サーバは前記クライアントからの測位要求を拒絶するステップと、
を含む測位方法。
【請求項２】
移動体端末の測位を要求するクライアントと、前記クライアントからの測位要求を受け付けるサーバと、前記移動体端末から構成される移動通信システムにおける測位システムであって、
前記クライアントの要求条件と、前記測位システムが備える測位能力とを比較し、比較した結果、前記要求条件を満足できない場合には前記サーバは前記クライアントからの測位要求を拒絶し、満足できる場合には前記測位システムを用いて端末位置を算出した結果を前記サーバが前記クライアントに通知することを特徴とする測位システム。
【請求項３】
移動体端末の測位を要求するクライアントと、クライアントからの測位要求を受け付けるサーバと、前記測位要求を前記サーバから受けて、無線アクセスネットワークへ通知するサービングノードと、前記測位要求を受けて前記移動体端末の測位を行う前記無線アクセスネットワークと、前記移動体端末および前記無線アクセスネットワークが備える測位能力を保持するデータベース、ならびに移動体端末からなる測位システムであって、
前記無線アクセスネットワークが前記移動体端末および前記無線アクセスネットワークの測位能力を前記サービングノードに通知する手段と、
前記サービングノードが前記無線アクセスネットワークから通知された前記移動体端末および前記無線アクセスネットワークの測位能力を保持する手段と、
前記サービングノードが前記移動体端末から前記移動体端末の位置が変化したことを通知する位置登録要求を受けたときに、保持している前記移動体端末と前記無線アクセスネットワークの測位能力を前記データベースに通知する手段と、
前記データベースが前記サービングノードから通知された前記移動体端末と前記無線アクセスネットワークの測位能力および通知を受けた第一の時刻を保持する手段と、
前記サーバが前記データベースに測位能力の情報更新の有無を確認を要求する手段と、
前記データベースは前記サーバからの測位能力の情報更新の有無の確認要求を受けた場合に、測位能力が更新された第一の時刻を応答する手段と、
前記サーバが前記データベースからの測位能力の更新の第一の時刻と前記サーバが保持してる測位能力の更新の第二の時刻を比較して測位能力の情報更新の有無を判定した結果、更新されている場合には前記データベースに対して前記端末および前記無線アクセスネットワークの測位能力の通知を要求する手段と、
前記データベースが前記サーバから前記端末と前記無線アクセスネットワークの測位能力の通知要求を受けた場合に、前記データベースが保持している前記端末と前記無線アクセスネットワークの測位能力、並びに前記データベースが測位能力の情報を更新した第一の時刻を前記サーバに通知する手段と、
前記サーバは前記データベースからの前記端末と前記無線アクセスネットワークの測位能力と前記第一の時刻を第二の時刻として保持する手段と、
前記サーバが前記移動体端末と前記無線アクセスネットワークの測位能力から期待される測位精度を算出する手段と、
前記サーバが前記期待される測位精度と前記クライアントからの測位要求に含まれる要求される測位精度を比較し、要求測位精度を満足できるか否かを判定する手段と、
前記サーバが前記判定の結果、要求測位精度を満足できない場合には、前記クライアントに対して、要求測位精度を満足できないこと、期待される測位精度を通知する手段と、
前記サーバが前記判定の結果、要求測位精度を満足できる場合には、前記サービングノードに対して、測位要求を転送する手段とを備えることを特徴とする測位システム。
【請求項４】
移動体端末の測位を要求するクライアントと、クライアントからの測位要求を受け付けるサーバと、前記測位要求を前記サーバから受けて、無線アクセスネットワークへ通知するサービングノードと、前記測位要求を受けて前記移動体端末の測位を行う前記無線アクセスネットワークと、前記無線アクセスネットワーク内の測位演算ノード、ならびに移動体端末からなる測位システムであって、
前記サーバが前記クライアントと予め取り決めた測位精度算出のための基準値となる前記移動体端末が存在する確率値を保持する手段と、
前記サーバが前記クライアントから測位要求を受けると、前記測位要求に対して前記移動体端末が存在する確率値を付加して、前記サービングノードに通知する手段と、
前記サービングノードが前記存在確率が付加された測位要求を前記無線アクセスネットワークに通知する手段と、
前記測位演算ノードが前記無線アクセスネットワークでの測位処理結果を受けて、要求される測位精度を満足する存在確率を算出する手段と、
前記測位演算ノードが前記無線アクセスネットワークでの測位処理結果を受けて、要求される存在確率を満足する測位精度を算出する手段と、
前記無線アクセスネットワークは前記無線測位演算ノードが算出した要求される測位精度を満足する存在確率、ならびに要求される存在確率を満足する測位精度を前記サービングノードに通知する手段と、
前記サービングノードが要求される測位精度を満足する存在確率、ならびに要求される存在確率を満足する測位精度を前記サーバに通知する手段と、
前記サーバが要求される測位精度を満足する存在確率、ならびに要求される存在確率を満足する測位精度を前記クライアントに通知する手段とを備えることを特徴とする測位システム。
【請求項５】
移動体端末の測位を要求するクライアントと、クライアントからの測位要求を受け付けるサーバと、前記測位要求を前記サーバから受けて、無線アクセスネットワークへ通知するサービングノードと、前記測位要求を受けて前記移動体端末の測位を行う前記無線アクセスネットワークと、前記移動体端末が備える測位能力を保持するデータベース、ならびに移動体端末からなる測位システムであって、
前記サーバが前記移動体端末が備える測位能力を前記データベースから取得する手段と、
前記サーバが前記移動体端末の測位能力から期待される測位精度を算出する手段と、
前記サーバが前記期待される測位精度と前記クライアントからの測位要求に含まれる測位精度を比較し、要求精度を満足できるか否かを判定する手段と、
前記サーバが前記判定の結果、要求測位精度を満足できない場合には、前記クライアントに対して、要求測位精度を満足できないこと、期待される測位精度を通知する手段と、
前記サーバが前記判定の結果、要求測位精度を満足できる場合には、前記サービングノードに対して、測位要求を転送する手段とを備えることを特徴とする測位システム。
【請求項６】
請求項５の測位システムにおいて、前記データベースは前記サービングノードから通知される前記移動体端末が備える測位能力を登録する手段を備えることを特徴とする測位システム。
【請求項７】
請求項５の測位システムにおいて、前記サービングノードは前記無線アクセスネットワークから通知される前記移動体端末が備える測位能力を保持する手段と、
前記データベースに対して前記移動体端末が備える測位能力を通知する手段を備えることを特徴とする測位システム。
【請求項８】
請求項５の測位システムにおいて、前記無線アクセスネットワークは前記サービングノードに対して、前記移動体端末が備える測位能力を通知する手段を備えることを特徴とする測位システム。
【請求項９】
請求項５の測位システムにおいて、前記サービングノードが前記無線アクセスネットワークに対して、前記移動体端末が備える測位能力を要求し、取得する手段を備えることを特徴とする測位システム。
【請求項１０】
請求項５の測位システムにおいて、前記サービングノードが前記移動体端末に対して、前記移動体端末が備える測位能力を要求し、取得する手段を備えることを特徴とする測位システム。
【請求項１１】
請求項５の測位システムにおいて、前記無線アクセスネットワークは前記サービングノードからの要求に対して、前記移動体端末が備える測位能力を応答する手段を備えることを特徴とする測位システム。
【請求項１２】
移動体端末の測位を要求するクライアントと、前記クライアントからの測位要求を受け付けるサーバと、前記サーバから前記測位要求を受けて、無線アクセスネットワークへ通知するサービングノードと、前記測位要求を受けて前記移動体端末の測位を行う前記無線アクセスネットワークと、前記無線アクセスネットワークが備える測位能力を保持するデータベース、ならびに移動体端末からなる測位システムであって、
前記サーバが前記データベースから前記無線アクセスネットワークが備える測位能力を取得する手段と、
前記サーバが前記無線アクセスネットワークの能力から期待される測位精度を算出する手段と、
前記サーバが前記期待される測位精度と前記クライアントからの測位要求に含まれる測位精度を比較し、要求精度を満足できるか否かを判定する手段と、
前記サーバが前記判定の結果、要求測位精度を満足できない場合には、前記クライアントに対して、要求測位精度を満足できないこと、期待される測位精度を通知する手段と、
前記サーバが前記判定の結果、要求測位精度を満足できる場合には、前記サービングノードに対して、測位要求を転送する手段とを備えることを特徴とする測位システム。
【請求項１３】
請求項１２の測位システムにおいて、前記データベースは前記サービングノードから通知される前記無線アクセスネットワークが備える測位能力を登録する手段を備えることを特徴とする測位システム。
【請求項１４】
請求項１２の測位システムにおいて、前記サービングノードは前記無線アクセスネットワークから通知される前記無線アクセスネットワークが備える測位能力を前記データベースに対して通知する手段を備えることを特徴とする測位システム。
【請求項１５】
請求項１２の測位システムにおいて、前記無線アクセスネットワークは前記サービングノードに対して、前記無線アクセスネットワークが備える測位能力を通知する手段を備えることを特徴とする測位システム。
【請求項１６】
請求項１２の測位システムにおいて、前記サービングノードが前記無線アクセスネットワークに対して、前記無線アクセスネットワークが備える測位能力を要求し、取得する手段を備えることを特徴とする測位システム。
【請求項１７】
請求項１２の測位システムにおいて、前記無線アクセスネットワークは前記サービングノードからの要求に対して前記無線アクセスネットワークが備える測位能力を応答する手段を備えることを特徴等する測位システム。
【請求項１８】
移動体端末の測位を要求するクライアントと、クライアントからの測位要求を受け付けるサーバと、前記サーバから前記測位要求を受けて、無線アクセスネットワークへ通知するサービングノードと、前記測位要求を受けて前記移動体端末の測位を行う前記無線アクセスネットワークと、前記移動体端末が備える測位能力と前記無線アクセスネットワークが備える測位能力を保持するデータベース、ならびに移動体端末からなる測位システムであって、
前記サーバが前記移動体端末が備える測位能力と前記無線アクセスネットワークが備える測位能力を前記データベースから取得する手段と、
前記サーバが前記移動体端末が備える測位能力と前記無線アクセスネットワークが備える測位能力から期待される測位精度を算出する手段と、
前記サーバが前記期待される測位精度と前記クライアントからの測位要求に含まれる測位精度を比較し、要求精度を満足できるか否かを判定する手段と、
前記サーバが前記判定の結果、要求測位精度を満足できない場合には、前記クライアントに対して、要求測位精度を満足できないこと、期待される測位精度を通知する手段と、
前記サーバが前記判定の結果、要求測位精度を満足できる場合には、前記サービングノードに対して、測位要求を転送する手段とを備えることを特徴とする測位システム。
【請求項１９】
請求項１８の測位システムにおいて、前記データベースは前記サービングノードから通知される前記移動体端末が備える測位能力と前記無線アクセスネットワークが備える測位能力を登録する手段を備えることを特徴とする測位システム。
【請求項２０】
請求項１８の測位システムにおいて、前記サービングノードは前記無線アクセスネットワークから通知される前記前記移動体端末が備える測位能力と無線アクセスネットワークが備える測位能力を前記データベースに対して通知する手段を備えることを特徴とする測位システム。
【請求項２１】
請求項１８の測位システムにおいて、前記無線アクセスネットワークは前記サービングノードに対して、前記移動体端末が備える測位能力と前記無線アクセスネットワークが備える測位能力を通知する手段を備えることを特徴とする測位システム。
【請求項２２】
請求項１８の測位システムにおいて、前記サービングノードが前記無線アクセスネットワークに対して、前記移動体端末が備える測位能力と前記無線アクセスネットワークが備える測位能力を要求し、取得する手段を備えることを特徴とする測位システム。
【請求項２３】
請求項１８の測位システムにおいて、前記無線アクセスネットワークは前記サービングノードからの要求に対して前記無線アクセスネットワークが備える測位能力と前記移動体端末が備える測位能力を応答する手段を備えることを特徴とする測位システム。
【請求項２４】
請求項５、請求項１２または請求項１８の測位システムにおいて、測位能力の情報が移動体端末あるいは無線アクセスネットワークが備える測位方式の情報であることを特徴とする測位システム。
【請求項２５】
請求項５、請求項１２または請求項１８の測位システムにおいて、測位能力の情報が移動体端末あるいは無線アクセスネットワークが許容する測位精度、存在確率、測位間隔、測位開始イベント、測位終了イベントの情報であることを特徴とする測位システム。
【請求項２６】
移動体端末の測位を要求するクライアントと、クライアントからの測位要求を受け付けるサーバと、前記サーバから前記測位要求を受けて、無線アクセスネットワークへ通知するサービングノードと、前記測位要求を受けて前記移動体端末の測位を行う前記無線アクセスネットワークと、前記移動体端末が備える測位能力と測位能力を取得した第一の時刻を保持するデータベース、ならびに移動体端末からなる測位システムであって、
前記サーバが前記第一の時刻を前記データベースから取得する手段と、
前記データベースが前記移動体端末が備える測位能力と共に取得した第一の時刻と前記移動体端末が備える測位能力と共に前記サーバが保持している前記測位能力を前記データベースが保持した第二の時刻を比較する手段と、
前記第一の時刻と前記第二の時刻を比較した結果、前記第二の時刻が過去であると判断した場合に、前記移動体端末が備える測位能力および前記第一の時刻を前記サーバが前記データベースに対して通知を要求、保持する手段と、
前記サーバが前記移動体端末の測位能力から期待される測位精度を算出する手段と、
前記サーバが前記期待される測位精度と前記クライアントからの測位要求に含まれる測位精度を比較し、要求精度を満足できるか否かを判定する手段と、
前記サーバが前記判定の結果、要求測位精度を満足できない場合には、前記クライアントに対して、要求測位精度を満足できないこと、期待される測位精度を通知する手段と、
前記サーバが前記判定の結果、要求測位精度を満足できる場合には、前記サービングノードに対して、測位要求を転送する手段とを備えることを特徴とする測位システム。
【請求項２７】
請求項２６の測位システムにおいて、前記データベースは前記サービングノードから通知される前記移動体端末が備える測位能力および第一の時刻を登録する手段を備えることを特徴とする測位システム。
【請求項２８】
請求項２６の測位システムにおいて、前記サービングノードは前記無線アクセスネットワークから第一の前記移動体端末が備える測位能力を取得する手段と、
前記サービングノードは予め保持した第二の前記移動体端末が備える測位能力と前記第一の前記移動体端末が備える測位能力を比較する手段と、
前記サービングノードは前記第一の前記移動体端末が備える測位能力と前記第二の前記移動体端末が備える測位能力を比較した結果、情報が更新されている場合に前記データベースに対して前記第一の前記移動体端末が備える測位能力を通知する手段と、
前記サービングノードは前記第一の前記移動体端末が備える測位能力を保持する手段とを備えることを特徴とする測位システム。
【請求項２９】
移動体端末の測位を要求するクライアントと、クライアントからの測位要求を受け付けるサーバと、前記サーバから前記測位要求を受けて、無線アクセスネットワークへ通知するサービングノードと、前記測位要求を受けて前記移動体端末の測位を行う前記無線アクセスネットワークと、前記無線アクセスネットワークが備える測位能力と測位能力を取得した第一の時刻を保持するデータベース、ならびに移動体端末からなる測位システムであって、
前記サーバが前記第一の時刻を前記データベースから取得する手段と、
前記データベースが前記無線アクセスネットワークが備える測位能力と共に取得した第一の時刻と前記無線アクセスネットワークが備える測位能力と共に前記サーバが保持している前記測位能力を前記データベースに保持した第二の時刻を比較する手段と、
前記第一の時刻と前記第二の時刻を比較した結果、前記第二の時刻が過去であると判断した場合に、前記無線アクセスネットワークが備える測位能力および前記第一の時刻を前記サーバが前記データベースに対して通知を要求、保持する手段と、
前記データベースが前記無線アクセスネットワークが備える測位能力から期待される測位精度を算出する手段と、
前記データベースが前記期待される測位精度と前記クライアントからの測位要求に含まれる測位精度を比較し、要求精度を満足できるか否かを判定する手段と、前記サーバが前記判定の結果、要求測位精度を満足できない場合には、前記クライアントに対して、要求測位精度を満足できないこと、期待される測位精度を通知する手段と、
前記サーバが前記判定の結果、要求測位精度を満足できる場合には、前記サービングノードに対して、測位要求を転送する手段とを備えることを特徴とする測位システム。
【請求項３０】
請求項２９の測位システムにおいて、前記データベースは前記サービングノードから通知される前記無線アクセスネットワークが備える測位能力および第一の時刻を登録する手段を備えることを特徴とする測位システム。
【請求項３１】
請求項２９の測位システムにおいて、前記サービングノードは前記無線アクセスネットワークから第一の前記無線アクセスネットワークが備える測位能力を取得する手段と、
前記サービングノードは予め保持した第二の前記無線アクセスネットワークが備える測位能力と前記第一の前記無線アクセスネットワークが備える測位能力を比較する手段と、
前記サービングノードは前記第一の前記無線アクセスネットワークが備える測位能力と前記第二の前記無線アクセスネットワークが備える測位能力を比較した結果、情報が更新されている場合に前記データベースに対して前記第一の前記無線アクセスネットワークが備える測位能力を通知する手段と、
前記サービングノードは前記第一の前記無線アクセスネットワークが備える測位能力を保持する手段とを備えることを特徴とする測位システム。
【請求項３２】
移動体端末の測位を要求するクライアントと、クライアントが接続されている第一の移動体通信事業者のネットワークに属する測位要求を処理する第一のサーバと、端末が契約している第二の移動体通信事業者のネットワークに属する測位要求を処理する第二のサーバ、ならびに前記移動体端末や無線アクセスネットワークが備える測位能力を管理するデータベースと、前記移動体端末がローミングしている第三の移動体通信事業者のネットワークに属する第三のサーバと、前記第三のサーバからの測位要求を中継するサービングノードと、前記サービングノードが中継する測位要求を受けて測位処理を実行する前記無線アクセスネットワーク、並びに移動体端末からなる測位システムであって、
前記第二のサーバが前記移動体端末および前記無線アクセスネットワークが備える測位能力を前記データベースから取得する手段と、
前記第二のサーバが前記移動体端末および前記無線アクセスネットワークが備える測位能力から期待される測位精度を算出する手段と、
前記第二のサーバが前記期待される測位精度と前記クライアントからの測位要求に含まれる測位精度を比較し、要求精度を満足できるか否かを判定する手段と、前記第二のサーバが前記判定の結果、要求測位精度を満足できない場合には、前記第一のサーバを経由して前記クライアントに対して、要求測位精度を満足できないこと、期待される測位精度を通知する手段と、
前記第二のサーバが前記判定の結果、要求測位精度を満足できる場合には、前記第三のサーバを経由して前記サービングノードに対して、測位要求を転送する手段とを備えることを特徴とする測位システム。
【請求項３３】
請求項３２の測位システムにおいて、前記データベースは前記サービングノードから通知される前記移動体端末および前記無線アクセスネットワークが備える測位能力を登録する手段を備えることを特徴とする測位システム。
【請求項３４】
請求項３２の測位システムにおいて、前記サービングノードは前記無線アクセスネットワークから通知される前記移動体端末および前記無線アクセスネットワークが備える測位能力を前記データベースに対して通知する手段を備えることを特徴とする測位システム。
【請求項３５】
請求項３２の測位システムにおいて、前記無線アクセスネットワークは前記サービングノードに対して、前記移動体端末および前記無線アクセスネットワークが備える測位能力を通知する手段を備えることを特徴とする測位システム。
【請求項３６】
請求項３２に記載の測位システムにおいて、前記第一の移動体通信事業者と前記第二の移動体通信事業者が同一であり、前記第一のサーバと前記第二のサーバが同一であることを特徴とする測位システム。
【請求項３７】
請求項３２に記載の測位システムにおいて、前記第二の移動体通信事業者と前記第三の移動体通信事業者が同一であり、前記第二のサーバと前記第三のサーバが同一であることを特徴とする測位システム。
【請求項３８】
請求項３２に記載の測位システムにおいて、前記第一の移動体通信事業者と前記第二の移動体通信事業者と前記第三の移動体通信事業者が同一であり、前記第一のサーバと前記第二のサーバと前記第三のサーバが同一であることを特徴とする測位システム。
【請求項３９】
請求項３２に記載の測位システムにおいて、
前記第三のサーバが保持した前記三の移動体通信事業者のネットワークが提供する測位能力を更新する手段と、
前記第三のサーバが保持した測位能力が更新された場合には更新された内容を前記第二のサーバに通知する手段と、
前記第三のサーバは前記第二のサーバからの測位能力の問い合わせに対して、測位能力を通知する手段とを備えることを特徴とする測位システム。
【請求項４０】
請求項３２に記載の測位システムにおいて、
第二のサーバは前記第一のサーバから転送された測位要求を受けた時に前記第三の移動体通信事業者のネットワークが提供する測位能力を保持しているか否かを判定する手段と、
第二のサーバは前記第三の移動体通信事業者のネットワークが提供する測位能力を保持していない場合には、前記第三のサーバに対して測位能力を問い合わせる手段と、
第二のサーバは前記第三のサーバから受けた測位能力を保存する手段とを備えることを特徴とする測位システム。
【請求項４１】
移動体端末の測位を要求するクライアントと、クライアントが接続されている第一の移動体通信事業者のネットワークに属する測位要求を処理する第一のサーバと、端末が契約している第二の移動体通信事業者のネットワークに属する測位要求を処理する第二のサーバ、ならびに前記移動体端末や無線アクセスネットワークが備える測位能力を管理するデータベースと、前記移動体端末がローミングしている第三の移動体通信事業者のネットワークに属する第三のサーバと、前記第三のサーバからの測位要求を中継するサービングノードと、前記サービングノードが中継する測位要求を受けて測位処理を実行する前記無線アクセスネットワーク、並びに移動体端末からなる測位システムであって、
前記第一のサーバが前記移動体端末および前記無線アクセスネットワークが備える測位能力を前記データベースから取得する手段と、
前記第一のサーバが前記移動体端末および前記無線アクセスネットワークが備える測位能力から期待される測位精度を算出する手段と、
前記第一のサーバが前記期待される測位精度と前記クライアントからの測位要求に含まれる測位精度を比較し、要求精度を満足できるか否かを判定する手段と、前記第一のサーバが前記判定の結果、要求測位精度を満足できない場合には、前記クライアントに対して、要求測位精度を満足できないこと、期待される測位精度を通知する手段と、
前記第一のサーバが前記判定の結果、要求測位精度を満足できる場合には、前記第二、第三のサーバを経由して前記サービングノードに対して、測位要求を転送する手段とを備えることを特徴とする測位システム。
【請求項４２】
移動体端末の測位を要求するクライアントと、クライアントからの測位要求を受け付けるサーバと、前記サーバから前記測位要求を受けて、無線アクセスネットワークへ通知するサービングノードと、前記測位要求を受けて前記移動体端末の測位を行う前記無線アクセスネットワークと、前記移動体端末が備える測位能力を保持する第一のデータベースと前記無線アクセスネットワークが備える測位能力を保持する第二のデータベース、ならびに移動体端末からなる測位システムであって、
前記サーバが前記移動体端末が備える測位能力を前記第一のデータベースから取得する手段と、
前記サーバが前記無線アクセスネットワークが備える測位能力を前記第二のデータベースから取得する手段と、
前記サーバが前記移動体端末が備える測位能力と前記無線アクセスネットワークが備える測位能力から期待される測位精度を算出する手段と、
前記サーバが前記期待される測位精度と前記クライアントからの測位要求に含まれる測位精度を比較し、要求精度を満足できるか否かを判定する手段と、
前記サーバが前記判定の結果、要求測位精度を満足できない場合には、前記クライアントに対して、要求測位精度を満足できないこと、期待される測位精度を通知する手段と、
前記サーバが前記判定の結果、要求測位精度を満足できる場合には、前記サービングノードに対して、測位要求を転送する手段とを備えることを特徴とする測位システム。
【請求項４３】
請求項４２の測位システムにおいて、前記第一のデータベースは前記サービングノードから通知される前記移動体端末が備える測位能力を登録する手段を備えることを特徴とする測位システム。
【請求項４４】
請求項４２の測位システムにおいて、前記第二のデータベースは前記サービングノードから通知される前記無線アクセスネットワークが備える測位能力を登録する手段を備えることを特徴とする測位システム。
【請求項４５】
請求項４２の測位システムにおいて、前記サービングノードは前記無線アクセスネットワークから通知される前記移動体端末が備える測位能力を前記第一のデータベースに対して通知する手段を備えることを特徴とする測位システム。
【請求項４６】
請求項４２の測位システムにおいて、前記サービングノードは前記無線アクセスネットワークから通知される前記無線アクセスネットワークが備える測位能力を前記第二のデータベースに対して通知する手段を備えることを特徴とする測位システム。
【請求項４７】
請求項４２の測位システムにおいて、前記無線アクセスネットワークは前記サービングノードに対して、前記移動体端末が備える測位能力と前記無線アクセスネットワークが備える測位能力を通知する手段を備えることを特徴とする測位システム。
【請求項４８】
移動体端末の測位を要求するクライアントと、クライアントからの測位要求を受け付けるサーバと、前記測位要求を前記サーバから受けて、無線アクセスネットワークへ通知するサービングノードと、前記測位要求を受けて前記移動体端末の測位を行う前記無線アクセスネットワークと、前記無線アクセスネットワーク内の測位演算ノード、ならびに移動体端末からなる測位システムであって、
前記サーバは前記クライアントが要求する測位精度算出の基準値（存在確率）を保持する手段と、
前記サーバは前記クライアントからの測位要求を受けると、前記存在確率を追加して、前記サービングノードを経由して前記無線アクセスネットワークへ前記存在確率が付加された測位要求を通知する手段とを備えることを特徴とする測位システム。
【請求項４９】
請求項４８に記載の測位システムにおいて、前記測位演算ノードは、要求される測位精度を満足する存在確率を算出する手段と、
前記存在確率を満足する測位精度を算出する手段を備えることを特徴とする測位システム。
【請求項５０】
移動体端末の測位を要求するクライアントと、前記クライアントが接続されている第一の移動体通信事業者のネットワークに属する測位要求を処理する第一のサーバと、前記移動体端末が契約している第二の移動体通信事業者のネットワークに属する測位要求を処理する第二のサーバと、前記移動体端末がローミングしている第三の移動体通信事業者のネットワークに属する第三のサーバと、前記第三のサーバからの測位要求を中継するサービングノードと、前記サービングノードが中継する測位要求を受けて測位処理を実行する無線アクセスネットワークと、前記無線アクセスネットワーク内の測位演算ノード、並びに移動体端末からなる測位システムであって、
前記第一のサーバは前記クライアントが要求する測位精度算出の基準値（存在確率）を保持する手段と、
前記クライアントからの測位要求を受けると、前記存在確率を追加して、前記第二のサーバへ転送する手段とを備えることを特徴とする測位システム。
【請求項５１】
請求項５０に記載の測位システムにおいて、前記測位演算ノードは、要求される測位精度を満足する存在確率を算出する手段と、前記存在確率を満足する測位精度を算出する手段とを備えることを特徴とする測位システム。
【請求項５２】
請求項５０に記載の測位システムにおいて、前記第一の移動体通信事業者と前記第二の移動体通信事業者が同一であり、前記第一のサーバと前記第二のサーバが同一であることを特徴とする測位システム。
【請求項５３】
請求項５０に記載の測位システムにおいて、前記第二の移動体通信事業者と前記第三の移動体通信事業者が同一であり、前記第二のサーバと前記第三のサーバが同一であることを特徴とする測位システム。
【請求項５４】
請求項５０に記載の測位システムにおいて、前記第一の移動体通信事業者と前記第二の移動体通信事業者と前記第三の移動体通信事業者が同一であり、前記第一のサーバと前記第二のサーバと前記第三のサーバが同一であることを特徴とする測位システム。
【請求項５５】
請求項５０に記載の測位システムにおいて、前記第二のサーバは利用者との間で予め決められた希望する第一の存在確率を保持する手段と、
前記第一のサーバからの第二の存在確率が付加された測位要求を受けると、前記第一の存在確率と前記第二の存在確率を比較する手段と、
比較した結果、前記第一の存在確率と前記第二の存在確率が異なっていた場合には前記第二の存在確率を前記第一の存在確率に置き換えた測位要求を前記第三のサーバへ転送する手段を備えることを特徴とする測位システム。
【請求項５６】
請求項５５に記載の測位システムであって、前記第一のサーバは測位結果を受け取ると、測位結果に含まれる第三の存在確率と前記第二の存在確率を比較する手段と、
比較した結果、前記第二の存在確率と前記第三の存在確率が異なっていた場合には、前記クライアントによって要求された前記第二の存在確率とは異なる条件で測位処理されたことを通知する手段とを備えることを特徴とする測位システム。
【請求項５７】
移動体端末の測位を要求するクライアントと、クライアントからの測位要求を受け付けるサーバと、前記測位要求を前記サーバから受けて、無線アクセスネットワークへ通知するサービングノードと、前記測位要求を受けて前記移動体端末の測位を行う前記無線アクセスネットワークと、前記無線アクセスネットワーク内の測位演算ノード、ならびに移動体端末からなる測位システムであって、
前記クライアントは要求する測位精度と測位精度を算出する基準値（存在確率）を含む測位要求を前記サーバに通知する手段と、
前記サーバは、前記クライアントからの要求する測位精度と測位精度を算出する基準値（存在確率）を含む測位要求を前記サービングノードに通知する手段と、前記サービングノードは、前記サーバからの要求する測位精度と測位精度を算出する基準値（存在確率）を含む測位要求を前記無線アクセスネットワークに通知する手段と、
前記測位演算ノードが前記無線アクセスネットワークでの測位処理結果を受けて、要求される測位精度を満足する存在確率を算出する手段と、
前記測位演算ノードが前記無線アクセスネットワークでの測位処理結果を受けて、要求される存在確率を満足する測位精度を算出する手段と、
前記無線アクセスネットワークは前記測位演算ノードが算出した要求される測位精度を満足する存在確率、ならびに要求される存在確率を満足する測位精度を前記サービングノードに通知する手段と、
前記サービングノードが要求される測位精度を満足する存在確率、ならびに要求される存在確率を満足する測位精度を前記サーバに通知する手段と、
前記サーバが要求される測位精度を満足する存在確率、ならびに要求される存在確率を満足する測位精度を前記クライアントに通知する手段とを備えることを特徴とする測位システム。
【発明の詳細な説明】
【０００１】
【発明の属する技術分野】
本発明は移動通信システムにおける移動体端末の位置を測定する測位システムに関する。
【０００２】
【従来の技術】
最初に、移動体端末の位置を測定するネットワーク構成について説明する。端末の位置測定を行う際に関連するノードで構成される移動体通信システムの構成を図１に示す。ＬＣＳクライアント１０１は、端末１０７の位置に依存したサービス（いわゆる位置情報サービス。以下ＬＣＳ）を提供するＡＳＰ（Ａｐｐｌｉｃａｔｉｏｎ  Ｓｅｒｖｉｃｅ  Ｐｒｏｖｉｄｅｒ）を表し、サーバ１０３（以下ＧＭＬＣ：Ｇａｔｅｗａｙ  Ｍｏｂｉｌｅ  Ｌｏｃａｔｉｏｎ  Ｃｅｎｔｅｒ）に対して端末１０７の位置を要求する。移動体通信事業者のネットワークは、大きくコアネットワーク（以下ＣＮ  ：  Ｃｏｒｅ  Ｎｅｔｗｏｒｋ）と無線アクセスネットワーク（以下ＲＡＮ  ：Ｒａｄｉｏ  Ａｃｃｅｓｓ  Ｎｅｔｗｏｒｋ）に分けられる。
【０００３】
測位に関連するＣＮ内のノードとしてはＧＭＬＣ１０３、サービングノード（以下ＭＳＣ／ＳＧＳＮ：Ｍｏｂｉｌｅ  Ｓｗｉｔｃｈｉｎｇ  Ｃｅｎｔｅｒ／Ｓｅｒｖｉｎｇ  ＧＰＲＳ  Ｓｕｐｐｏｒｔ  Ｎｏｄｅ）１０４、データベース（以下ＨＬＲ／ＨＳＳ：Ｈｏｍｅ  Ｌｏｃａｔｉｏｎ  Ｒｅｇｉｓｔｅｒ／Ｈｏｍｅ  Ｓｕｂｓｃｒｉｂｅｒ  Ｓｅｒｖｅｒ）１０２がある。ＧＭＬＣ１０３は、ＬＣＳクライアント１０１の認証機能、測位要求の受け付けや測位結果の通知機能等を備えるゲートウェイである。ＭＳＣ／ＳＧＳＮ１０４は、ＧＭＬＣ１０３からの測位要求をＲＡＮに通知し、ＲＡＮからの測位結果をＧＭＬＣ１０３に通知する機能を備える。ＨＬＲ／ＨＳＳ１０２は、加入者の情報や端末１０７が在圏する位置を管理するデータベースである。
【０００４】
測位に関連するＲＡＮ内の主なノードとしては、無線制御装置（以下ＲＮＣ：Ｒａｄｉｏ  Ｎｅｔｗｏｒｋ  Ｃｏｎｔｒｏｌｌｅｒ）１０５、無線基地局（以下Ｎｏｄｅ−Ｂ）１０６がある。ＲＮＣ１０５は、ＣＮからの測位要求の処理、各種測位方法により取得したデータから端末の位置を算出する機能を備える。Ｎｏｄｅ−Ｂ１０６は、測位用のデータの送信や端末１０７からの測位用データを受信する。他にも端末１０７が測位する際に用いる補助用のデータを送信するノード（ＳＡＳ  ：  Ｓｔａｎｄ−ａｌｏｎｅ  ＳＭＬＣ）等も存在するが、図では省略している。
【０００５】
各ノード間のインタフェースは標準化されており、ＬＣＳクライアント１０１とＧＭＬＣ１０３の間はＬｅ、ＧＭＬＣ１０３とＨＬＲ／ＨＳＳ１０２の間はＬｈ、ＧＭＬＣ１０３とＭＳＣ／ＳＧＳＮ１０４の間はＬｇ、ＨＬＲ／ＨＳＳ１０２とＭＳＣ／ＳＧＳＮ１０４の間はＤ、ＭＳＣ／ＳＧＳＮ１０４とＲＮＣ１０５の間はＩｕ、ＲＮＣ１０５とＮｏｄｅ−Ｂ１０８の間はＩｕｂとして参照される。
【０００６】
ネットワーク構成、インタフェースの詳細は、３ｒｄ  Ｇｅｎｅｒａｔｉｏｎ  Ｐａｒｔｎｅｒｓｈｉｐ  Ｐｒｏｊｅｃｔ（３ＧＰＰ）の標準仕様ＴＳ２３．２７１  Ｖ５．３．０、ＴＳ２５．３０５  Ｖ５．４．０に記載されている。
【０００７】
次に、端末の位置を測定する際の信号の流れ（以下測位フロー）について説明する。
【０００８】
付加価値サービス提供のための測位フローの１つにＬＣＳクライアントが測位処理を起動するＭＴ−ＬＲ（Ｍｏｂｉｌｅ  Ｔｅｒｍｉｎａｔｉｎｇ  Ｌｏｃａｔｉｏｎ  Ｒｅｑｕｅｓｔ）がある。ＭＴ−ＬＲの測位フローを図２に示す。ＬＣＳクライアントはＧＭＬＣに対して測位要求を通知する（２０１）。測位要求を受けたＧＭＬＣは、Ｓｅｎｄ−Ｒｏｕｔｉｎｇ−Ｉｎｆｏ−ｆｏｒ−ＬＣＳサービスを使用して端末が在圏するＭＳＣ／ＳＧＳＮのアドレスをＨＬＲ／ＨＳＳから取得し（２０２、２０３）、端末が在圏するＭＳＣ／ＳＧＳＮに対して測位要求（Ｐｒｏｖｉｄｅ−Ｓｕｂｓｃｒｉｂｅｒ−Ｌｏｃａｔｉｏｎサービス）を通知する（２０４）。ＭＳＣ／ＳＧＳＮと端末の間でコネクションを確立した後（２０５）、ＭＳＣ／ＳＧＳＮは、ＲＮＣに対して測位要求（Ｌｏｃａｔｉｏｎ  Ｒｅｐｏｒｔｉｎｇ  Ｃｏｎｔｒｏｌメッセージ）を通知する（２０６）。測位要求を受信したＲＮＣは、端末との間で測位処理を行い、端末の位置を算出する（２０７）。測位結果は、ＲＮＣからＭＳＣ／ＳＧＳＮに通知され（Ｌｏｃａｔｉｏｎ  Ｒｅｐｏｒｔメッセージ）（２０８）、更にＧＭＬＣ経由でＬＣＳクライアントに通知される（２０９、２１０）。
【０００９】
ＬＣＳクライアントとＧＭＬＣの間のインタフェースはＬｅとして参照され、プロトコルはＬＩＦ（Ｌｏｃａｔｉｏｎ  Ｉｎｔｅｒｏｐｅｒａｂｉｌｉｔｙ  Ｆｏｒｕｍ）でＭＬＰ（Ｍｏｂｉｌｅ  Ｌｏｃａｔｉｏｎ  Ｐｒｏｔｏｃｏｌ）として仕様書番号ＴＳ１０１に規定されている。ＬＣＳクライアントとＧＭＬＣの間の動作例を図３に示す。ＬＣＳクライアントからＧＭＬＣに対して測位要求を送信する標準的な動作例である。ＬＣＳクライアントはＧＭＬＣに対して測位要求（Ｓｔａｎｄａｒｄ  Ｌｏｃａｔｉｏｎ  Ｉｍｍｅｄｉａｔｅ  Ｒｅｑｕｅｓｔ）を送る（３０１）。ＧＭＬＣおよびその他のノードで測位処理が行われた後、ＧＭＬＣはＬＣＳクライアントに対して測位結果（Ｓａｎｄａｒｄ  Ｌｏｃａｔｉｏｎ  Ｉｍｍｅｄｉａｔｅ  Ａｎｓｗｅｒ）を応答する（３０２）。ＬＣＳクライアントとＧＭＬＣの間の信号は、測位要求の種類に応じて他にも定義されているが本発明には直接関係しないので説明は省略する。なお、測位要求には、緯度・経度の精度（ｌｌ＿ａｃｃ）、水平方向精度（ｈｏｒ＿ａｃｃ）、垂直方向精度（ａｌｔ＿ａｃｃ）、端末の位置を取得してからの最大時間（ｍａｘ＿ｌｏｃ＿ａｇｅ）、応答時間（ｒｅｓｐ＿ｔｉｍｅｒ）、測位を実行する間隔（ｉｎｔｅｒｖａｌ）、測位開始時間（ｓｔａｒｔ＿ｔｉｍｅ）、測位終了時間（ｓｔｏｐ＿ｔｉｍｅ）、測位を開始する端末の動作（ｍｓ＿ａｃｔｉｏｎ）の内の任意の１つ或いは複数或いは全てを、パラメータとして指定することが可能である。以下ではこのような測位に対する要求パラメータをＱｏＳと呼ぶ。
【００１０】
ここで、ＬＣＳクライアントが測位要求する際にＱｏＳ条件を指定できるようにした移動通信システムを記載した文献として、後述する特許文献１がある。また、同文献１に記載の移動通信システムでは、ＬＣＳクライアントに相当するリクエスティングアプリケーションが測位精度などのＱｏＳ条件を測位要求時に指定した場合に、ネットワークのＧＭＬＣ相当のノードにおいて、要求されたＱｏＳ条件を実現できるか否かを判定し、実現できる場合には測位を実行し、実現できない場合にはその旨のメッセージを前記アプリケーションに送って測位は実行しないとしているが、ＱｏＳを満足できるかどうかの判定方法や、判定に使用する端末の測位能力やネットワークの測位能力の入手方法についてはなんら具体的な開示はなされていない。また、同文献１には、リクエスティングアプリケーションが測位要求時に精度情報として最大リージョン領域情報と最小確率情報を指定でき、ネットワークのＧＭＬＣ相当のノードにおいて、要求された最大リージョン領域および最小確率で測位できない場合にはその旨のメッセージを前記アプリケーションに送って測位は実行しないとの記載がある。しかし、要求された最大リージョン領域および最小確率で測位できるかどうかを判定する具体的な方法の開示はなく、そもそも測位の実行前に存在確率を判定することができるのか、甚だ疑問である。
【００１１】
次にＲＡＮにおける測位処理について説明する。ＭＳＣ／ＳＧＳＮからの測位要求（Ｌｏｃａｔｉｏｎ  Ｒｅｐｏｒｔｉｎｇ  Ｃｏｎｔｒｏｌメッセージ）を受け取ったＲＮＣは、測位要求に含まれるＱｏＳ情報と後述する図５に示す手順によって取得する端末の測位能力、および自身が備える測位能力から測位方式を決定する。
【００１２】
主な測位方式としては、無線基地局のＩＤを用いるＣｅｌｌ  ＩＤ方式、３つ以上の無線基地局からの信号到達時間差を測定して位置を算出するＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）方式、端末に内蔵したＧＰＳとネットワークからのアシスタンスデータを元に位置を算出するＡ−ＧＰＳ方式がある。測位精度の目安として、Ｃｅｌｌ  ＩＤ方式は敷設する無線基地局の密度に依存するが１００ｍから数ｋｍ、ＯＴＤＯＡ方式は５０ｍ〜１５０ｍ、Ａ−ＧＰＳは５ｍ〜１０ｍと考えられている。
【００１３】
ＭＳＣ／ＳＧＳＮ、ＲＮＣ、端末の制御プレーンのプロトコルスタックを図４に示す。端末とＲＮＣの間でＲＲＣ接続手順が、端末とＭＳＣ／ＳＧＳＮの間で移動管理手順がそれぞれ処理される。ＲＮＣが端末の測位能力を取得するＲＲＣ接続手順を図５に示す。ＲＮＣと端末の間でコネクションが確立されていない場合には、ページングによりＲＮＣと端末の間でコネクションを確立する（４０１）。その上で更に端末はＲＲＣ（Ｒａｄｉｏ  Ｒｅｓｏｕｒｃｅ  Ｃｏｎｔｒｏｌ）接続要求をＲＮＣに通知する（４０２）。ＲＮＣからＲＲＣ接続開始通知（ＲＲＣ  Ｃｏｎｎｅｃｔｉｏｎ  Ｓｅｔｕｐ）を受けた端末は、ＲＲＣ接続完了通知（ＲＲＣ  Ｃｏｎｎｅｃｔｉｏｎ  Ｓｅｔｕｐ  Ｃｏｍｐｌｅｔｅ）をＲＮＣに通知する（４０３、４０４）。ＲＲＣ接続完了通知には、端末の無線アクセスに関する情報（ＵＥ  Ｒａｄｉｏ  Ａｃｃｅｓｓ  Ｃａｐａｂｉｌｉｔｙ）が含まれる。その情報の中に端末の測位能力（ＵＥ  Ｐｏｓｉｔｉｏｎｉｎｇ  Ｃａｐａｂｉｌｉｔｙ）を示すパラメータが含まれている。パラメータには、単独測位、端末ベースのＯＴＤＯＡ、Ａ−ＧＰＳ、ＩＰＤＬ（Ｉｄｌｅ  Ｐｅｒｉｏｄ  ｏｎ  ｔｈｅ  Ｄｏｗｎ  Ｌｉｎｋ）、ＲＴＴ（Ｒｏｕｎｄ  Ｔｒｉｐ  Ｔｉｍｅ）等の測位方式が含まれる。
【００１４】
ＲＮＣは、端末の能力と自身が備える測位能力とを比較し、選択可能な測位処理を抽出し、測位要求に含まれる測位精度を満足することが期待される測位方式を選択し、測位処理を実行する。測位した結果は、位置、測位精度（Ａｃｃｕｒａｃｙ）、存在確率（Ｃｏｎｆｉｄｅｎｃｅ）としてＭＳＣ／ＳＧＳＮへ通知される（Ｌｏｃａｔｉｏｎ  Ｒｅｐｏｒｔ）。
【００１５】
次に端末が他の移動体通信事業者のネットワークにローミングしている場合の位置情報取得手順について説明する。
【００１６】
異なる３つの移動体通信事業者からなるネットワーク構成を図６に示す。端末５０９は移動体通信事業者Ｂと契約しているものとし、移動体通信事業者Ｃのネットワークにローミングした環境でＬＣＳを受ける場合を考える。なお、ＬＣＳを提供するＬＣＳクライアント５０１は第三の移動体通信事業者Ａのネットワークに接続されているものとする。移動体通信事業者ＡのＧＭＬＣ（以下Ｒ−ＧＭＬＣ）５０２は移動体通信事業者ＢのＧＭＬＣ（以下Ｈ−ＧＭＬＣ）５０３とはＬｒとして参照されるインタフェースで接続されている。同様にＨ−ＧＭＬＣ５０３は移動体通信事業者ＣのＧＭＬＣ（以下Ｖ−ＧＭＬＣ）５１２とＬｒインタフェースで接続されている。図６では一部省略されているが、各移動体通信事業者のネットワーク構成は図１に記載のネットワーク構成と同様である。
【００１７】
この構成においてＬＣＳクライアント起動の測位処理が行われる手順を図７、図８に示す。図７は測位要求がＨ−ＧＭＬＣからＶ−ＧＭＬＣへ転送される場合、図８はＨ−ＧＭＬＣからＭＳＣ／ＳＧＳＮへ転送される場合を示している。ＬＣＳクライアントからの測位要求（６０１、７０１）を受けたＲ−ＧＭＬＣは、ＨＬＲに問い合わせる等してＨ−ＧＭＬＣの宛先を取得し（６０２〜６０３、７０２〜７０３）、Ｈ−ＧＭＬＣに対して測位要求を転送する（６０４、７０４）。同様にＨ−ＧＭＬＣは、ＨＬＲに問い合わせる等してＶ−ＧＭＬＣあるいはＭＳＣ／ＳＧＳＮの宛先を取得する（６０５〜６０６、７０５〜７０６）。Ｖ−ＧＭＬＣが存在しない場合にはＭＳＣ／ＳＧＳＮに測位要求は転送される（７０７）。Ｖ−ＧＭＬＣが存在する場合には予め事業者間の取り決めに従って、Ｖ−ＧＭＬＣあるいはＭＳＣ／ＳＧＳＮへ測位要求を転送する（６０７、７０７）。Ｖ−ＧＭＬＣあるいはＭＳＣ／ＳＧＳＮが測位要求を受けた以降の処理（６０８〜６１３、７０８〜７１１）は、非ローミング環境における測位処理と同様である。そして図７の場合、端末の位置情報を受け取ったＶ−ＧＭＬＣはＨ−ＧＭＬＣに測位結果を転送し（６１４）、更にＨ−ＧＭＬＣは、Ｒ−ＧＭＬＣに測位結果を転送し（６１５）、Ｒ−ＧＭＬＣはＬＣＳクライアントに測位結果を通知する（６１６）。また図８の場合、端末の位置情報を受け取ったＭＳＣ／ＳＧＳＮは、測位要求を受けたＨ−ＧＭＬＣに測位結果を転送し（７１２）、更にＨ−ＧＭＬＣは、Ｒ−ＧＭＬＣに測位結果を転送し（７１３）、Ｒ−ＧＭＬＣはＬＣＳクライアントに測位結果を通知する（７１４）。
【００１８】
ローミング環境、非ローミング環境に関わらず、移動体通信においてネットワークには端末の移動管理機能が備わっている。端末の移動管理について説明する。図６は、端末が移動体通信事業者Ｂから移動体通信事業者Ｃに移動した場合を示している。端末が契約している移動体通信事業者ＢのＨＬＲ／ＨＳＳ５０４と通信事業者のＭＳＣ／ＳＧＳＮ５０６はＤとして参照されるインタフェースで接続されている。移動管理の手順を図９に示す。端末が接続されている無線基地局の変化を検出すると、端末はＭＳＣ／ＳＧＳＮに対して位置登録要求（Ｌｏｃａｔｉｏｎ  Ｕｐｄａｔｉｎｇ  Ｒｅｑｕｅｓｔ）を通知し（８０１）、ＭＳＣ／ＳＧＳＮはＨＬＲ／ＨＳＳに対して位置登録要求（ＭＡＰ＿ＵＰＤＡＴＥ＿（ＧＰＲＳ）＿ＬＯＣＡＴＩＯＮ）を転送する（８０２）。位置登録要求を受けたＨＬＲ／ＨＳＳは、端末が在圏するＭＳＣ／ＳＧＳＮのアドレスを取得すると、ＭＳＣ／ＳＧＳＮに対して加入者情報を転送する（ＭＡＰ＿ＩＮＳＥＲＴ＿ＳＵＢＳＣＲＩＢＥＲ＿ＤＡＴＥ）（８０３）。加入者情報を取得し、情報を保存したＭＳＣ／ＳＧＳＮはＨＬＲ／ＨＳＳに対してａｃｋを返す（８０４）。ａｃｋを受けたＨＬＲ／ＨＳＳは、ＭＳＣ／ＳＧＳＮに対して位置登録完了を通知し（８０５）、ＭＳＣ／ＳＧＳＮは端末に対して位置登録完了通知を転送し（８０６）、位置登録処理は完了する。
【００１９】
ＭＳＣ／ＳＧＳＮがＨＬＲ／ＨＳＳへ通知する位置登録要求（ＭＡＰ＿ＵＰＤＡＴＥ＿（ＧＰＲＳ）＿ＬＯＣＡＴＩＯＮ）には、ＭＳＣ／ＳＧＳＮがサポートするＬＣＳの能力（Ｓｕｐｐｏｒｔｅｄ  ＬＣＳ  Ｃａｐａｂｉｌｉｔｙ  Ｓｅｔｓ）と端末がサポートするＬＣＳの能力（ＣＳ  （ＰＳ）  ＬＣＳ  Ｎｏｔ  Ｓｕｐｐｏｒｔｅｄ  ｂｙ  ＵＥ）を表すパラメータが含まれている。ＭＳＣ／ＳＧＳＮがサポートする能力を表すパラメータには、ＬＣＳのバージョンが示されている。具体的には、パラメータＳｅｔ１はリリース９８およびリリース９９を、パラメータＳｅｔ２はリリース４以降を示す。端末がサポートする能力を表すパラメータでは、端末がＬＣＳをサポートしているか否かを示す。
【００２０】
【特許文献１】
特表２００２−５０７１０５号公報
【００２１】
【発明が解決しようとする課題】
しかしながら、上述した従来の移動通信システムにおける測位システムでは、無駄な測位処理によってネットワーク資源が無駄に消費されてしまうという課題がある。その理由は以下の通りである。
【００２２】
第一の理由は、ＬＣＳクライアントは測位要求する際にＱｏＳ条件を指定することが可能であるが、ＱｏＳ条件を判定する機能並びに判定に使用する情報を備えているのはＲＮＣのみであるため、ＬＣＳクライアントからのＱｏＳ条件を満足することができない測位要求によってネットワーク資源が浪費されるからである。これは、ローミング環境においてＬＣＳクライアントが端末の位置情報を取得する場合には特に顕著である。何故なら、端末が契約している移動体通信事業者のネットワークから端末がローミングしている移動体通信事業者のネットワークへ無駄な測位要求トラヒックが発生し、更に、ローミング先移動体通信事業者のネットワーク資源を使用して無駄な測位処理が発生してしまうからである。なお、特許文献１には、ＬＣＳクライアントに相当するリクエスティングアプリケーションがＱｏＳ条件を測位要求時に指定した場合に、ＧＭＬＣ相当のノードにおいて、要求されたＱｏＳ条件を実現できるか否かを判定し、実現できる場合には測位を実行し、実現できない場合にはその旨のメッセージを前記アプリケーションに送って測位は実行しないとしているが、ＱｏＳを満足できるかどうかの判定方法や、判定に使用する端末の測位能力やネットワークの測位能力の入手方法についてはなんら具体的な開示はなされていない。
【００２３】
第二の理由は、ＬＣＳクライアントは測位要求に測位精度を指定することができ、それに対する測位結果として、位置と精度（ａｃｃｕｒａｃｙ）と存在確率（ｃｏｎｆｉｄｅｎｃｅ）がＬＣＳクライアントに通知されるが、返される存在確率が極めて低い場合、指定する測位精度を下げて測位要求を送出する処理を繰り返し行う必要があるためである。例えば、測位精度として半径１０ｍ以下と指定したときに、半径１０ｍ以下に２０％の確率で存在するとの測位結果を受けた場合、このような測位結果は全く役に立たないため、指定する測位精度を例えば５０ｍ以下に下げて、測位要求を再度送出する必要がある。特に、端末が契約している移動体通信事業者のシステムと端末がローミングしている移動体通信事業者のシステムで測位精度の判定基準が明示的に共通化されていない場合、サービス品質を維持するために、ＬＣＳクライアントから要求する測位精度を変えて数回の測位要求が発生し、無駄なトラヒックが発生する可能性がある。具体的には、例えば、ＬＣＳクライアントから要求する精度が半径１０ｍ以下の場合に、端末が契約する移動体通信事業者は半径７ｍ以下に９０％の確率で存在するという通知をするが、ローミング先移動体通信事業者は半径１０ｍ以下に２０％の確率で存在するという通知をする場合が考えられる。後者の場合には、要求精度はほとんど満たせていないと考えられるが、存在確率を高めるには例えば要求精度を緩和して、再度測位要求することになり、期待する存在確率を得るまでに数回の処理が発生してしまう。
【００２４】
【発明の目的】
本発明は、上記問題点を解決するためになされたものであって、その第１の目的は、無駄な測位処理によってネットワーク資源が無駄に消費されてしまうのを防止することにある。
【００２５】
本発明の第２の目的は、端末がローミングしている環境においてＬＣＳクライアントが端末の位置情報を取得する場合に、無駄な測位処理によってネットワーク資源が無駄に消費されてしまうのを防止することにある。
【００２６】
本発明の第３の目的は、端末がローミングしている移動体通信システムにおいて実現可能であると考えられる測位のＱｏＳ情報を、端末が契約する移動体通信事業者の移動体通信システムで取得して、端末が契約する移動体通信事業者の移動体通信システムが測位要求をローミング先に転送するか否かを事前に判断することができるようにして、無駄な測位処理によってネットワーク資源が無駄に消費されてしまうのを防止することにある。
【００２７】
本発明の第４の目的は、測位要求に存在確率を指定することを可能にし、且つ、指定された存在確率を満足する測位精度の測位結果を応答することにより、ＬＣＳクライアントが満足する存在確率を得るために何度も測位要求を繰り返す必要を無くし、結果として無駄な測位処理によってネットワーク資源が無駄に消費されるのを防止することにある。
【００２８】
本発明の第５の目的は、ＬＣＳクライアントが契約する移動体通信事業者の移動体通信システムで適用されるＱｏＳ判定基準と端末が在圏する移動体通信事業者の移動体通信システムで適用される測位精度判定基準を一致させることにより、ＬＣＳクライアントがサービス品質を維持するために何度も測位要求を繰り返す必要を無くし、結果として無駄な測位処理によってネットワーク資源が無駄に消費されるのを防止することにある。
【００２９】
【課題を解決するための手段】
上記目的を達成するため、本発明の測位システムは、移動体端末の測位を要求するクライアントと（１０１）、クライアントからの測位要求を受け付けるサーバ（１０３）と、前記測位要求を前記サーバから受けて、無線アクセスネットワークへ通知するサービングノード（１０４）と、前記測位要求を受けて前記移動体端末の測位を行う前記無線アクセスネットワークと、前記移動体端末および前記無線アクセスネットワークが備える測位能力を保持するデータベース（１０２）、ならびに移動体端末（１０７）からなる測位システムであって、
前記無線アクセスネットワークが前記移動体端末および前記無線アクセスネットワークの測位能力を前記サービングノードに通知する手段（９０２）と、
前記サービングノードが前記無線アクセスネットワークから通知された前記移動体端末および前記無線アクセスネットワークの測位能力を保持する手段（９０３）と、
前記サービングノードが前記移動体端末から前記移動体端末の位置が変化したことを通知する位置登録要求を受けたときに、保持している前記移動体端末と前記無線アクセスネットワークの測位能力を前記データベースに通知する手段（９０５）と、
前記データベースが前記サービングノードから通知された前記移動体端末と前記無線アクセスネットワークの測位能力および通知を受けた第一の時刻を保持する手段（９０６）と、
前記サーバが前記データベースに測位能力の情報更新の有無を確認を要求する手段（９０９）と、
前記データベースは前記サーバからの測位能力の情報更新の有無の確認要求を受けた場合に、測位能力が更新された第一の時刻を応答する手段（９１０）と、
前記サーバが前記データベースからの測位能力の更新の第一の時刻と前記サーバが保持してる測位能力の更新の第二の時刻を比較して測位能力の情報更新の有無を判定（９１１）した結果、更新されている場合には前記データベースに対して前記端末および前記無線アクセスネットワークの測位能力の通知を要求する手段（９１２）と、
前記データベースが前記サーバから前記端末と前記無線アクセスネットワークの測位能力の通知要求を受けた場合に、前記データベースが保持している前記端末と前記無線アクセスネットワークの測位能力、並びに前記データベースが測位能力の情報を更新した第一の時刻を前記サーバに通知する手段（９１３）と、
前記サーバは前記データベースからの前記端末と前記無線アクセスネットワークの測位能力と前記第一の時刻を第二の時刻として保持する手段（９１４）と、
前記サーバが前記移動体端末と前記無線アクセスネットワークの測位能力から期待される測位精度を算出する手段（９１５）と、
前記サーバが前記期待される測位精度と前記クライアントからの測位要求に含まれる要求される測位精度を比較し、要求測位精度を満足できるか否かを判定する手段（９１６）と、
前記サーバが前記判定の結果、要求測位精度を満足できない場合には、前記クライアントに対して、要求測位精度を満足できないこと、期待される測位精度を通知する手段（９１７、９１８）と、
前記サーバが前記判定の結果、要求測位精度を満足できる場合には、前記サービングノードに対して、測位要求を転送する手段とを備える。
【００３０】
また本発明の測位システムは、移動体端末の測位を要求するクライアント（１０１）と、クライアントからの測位要求を受け付けるサーバ（１０３）と、前記測位要求を前記サーバから受けて、無線アクセスネットワークへ通知するサービングノード（１０４）と、前記測位要求を受けて前記移動体端末の測位を行う前記無線アクセスネットワークと、前記無線アクセスネットワーク内の測位演算ノード（１０５）、ならびに移動体端末（１０７）からなる測位システムであって、
前記サーバが前記クライアントと予め取り決めた測位精度算出のための基準値となる前記移動体端末が存在する確率値を保持する手段と、
前記サーバが前記クライアントから測位要求を受けると、前記測位要求に対して前記移動体端末が存在する確率値を付加（１７０２）して、前記サービングノードに通知する手段（１７０４、１７０５）と、
前記サービングノードが前記存在確率が付加された測位要求を前記無線アクセスネットワークに通知する手段（１７０７）と、
前記測位演算ノードが前記無線アクセスネットワークでの測位処理結果を受けて、要求される測位精度を満足する存在確率を算出する手段（１７０９）と、
前記測位演算ノードが前記無線アクセスネットワークでの測位処理結果を受けて、要求される存在確率を満足する測位精度を算出する手段（１７１０）と、
前記無線アクセスネットワークが算出した要求される測位精度を満足する存在確率、ならびに要求される存在確率を満足する測位精度を前記サービングノードに通知する手段（１７１１）と、
前記サービングノードが要求される測位精度を満足する存在確率、ならびに要求される存在確率を満足する測位精度を前記サーバに通知する手段（１７１２、１７１３）と、
前記サーバが要求される測位精度を満足する存在確率、ならびに要求される存在確率を満足する測位精度を前記クライアントに通知する手段（１７１４、１７１５）とを備える。
【００３１】
【作用】
上記の通り本発明の測位システムによれば、測位要求を受け付けた移動体端末が契約する移動体通信事業者のサーバは、データベースから移動体端末が備える測位能力とローミング先の移動体通信システムが備える測位能力を取得し、取得した測位能力情報から実現可能な測位精度を算出し、要求される測位精度を満足するか否かを判断することができ、測位精度を満足できない場合には、測位精度を満足できないことを応答として返すことにより、無駄な測位処理を削減することができる。
【００３２】
更に、ＬＣＳクライアントとの間で予め取り決めた測位精度の判定基準値（存在確率）を、測位処理を実行する無線アクセスネットワークへ通知し、無線アクセスネットワークでは与えられた存在確率値を満足する測位精度を算出し、算出した結果をＬＣＳクライアントに応答することにより、ＬＣＳクライアントが所望の存在確率を満足する測位精度の位置情報を取得するための測位回数を１回にすることができる。また、ローミングした場合にも、同一の判定基準により測位精度の通知を受けることができ、測定回数を１回にできる。
【００３３】
【発明の第１の実施の形態】
第１の実施の形態にかかる移動通信ネットワークの構成例を図１０を参照して説明する。図１０において、端末１は測位対象となる携帯電話機などの移動体端末、ＬＣＳクライアント２は端末１の測位を要求するパーソナルコンピュータなどの情報処理装置、ネットワーク３は移動体通信事業者Ａのネットワーク、ネットワーク４は移動体通信事業者Ｂのネットワーク、５は移動体通信事業者Ｃのネットワークである。端末１は移動体通信事業者Ｂと契約している加入者であり、図１０では移動体通信事業者Ｃのネットワーク５にローミングしている。
【００３４】
ＬＣＳクライアント２は、ＱｏＳ条件を指定した測位要求をネットワーク３のＧＭＬＣ（Ｒ−ＧＭＬＣ）２１に送信する送信手段１１と、送信した測位要求に対する応答をＲ−ＧＭＬＣ２１から受信する受信手段１２とを備える。
【００３５】
Ｒ−ＧＭＬＣ２１は、ＬＣＳクライアント２から受信した測位要求を、測位対象である端末１のホームネットワークであるネットワーク４のＧＭＬＣ（Ｈ−ＧＭＬＣ）３１に転送する要求転送手段２２と、転送した測位要求に対する応答をＨ−ＧＭＬＣ３１から受信し、ＬＣＳクライアント２に転送する応答転送手段２３とを備える。
【００３６】
Ｈ−ＧＭＬＣ３１は、端末１および端末１の在圏する無線アクセスネットワーク（ＲＡＮ）の測位能力の情報を、その更新時刻と共に保持するキャッシュ３２と、Ｒ−ＧＭＬＣ２１からＬＣＳクライアント２が発した端末１の測位要求を受信したときに、端末１および端末１が在圏するＲＡＮの最新の測位能力の情報がキャッシュ３２に保持されているかを調べるために、ＨＬＲ／ＨＳＳ５１に対して端末１および端末１が在圏するＲＡＮの最新の測位能力の情報が更新された最新時刻を問い合せる更新確認手段３３と、この問い合わせに応じてＨＬＲ／ＨＳＳ５１から返される最新更新時刻とキャッシュ３２に保存されている端末１および端末１が在圏するＲＡＮの測位能力の情報の更新時刻とを比較してキャッシュ内容の有効性を判定する更新判定手段３４と、キャッシュ内容が古い場合に端末１および端末１が在圏するＲＡＮの最新の測位能力の情報をＨＬＲ／ＨＳＳ５１に要求する測位能力要求手段３５と、この要求に応じてＨＬＲ／ＨＳＳ５１から返される端末１および端末１が在圏するＲＡＮの測位能力の情報をその更新時刻と共にキャッシュ３２に保存する保存手段３６と、端末１および端末１が在圏するＲＡＮの最新の測位能力の情報に基づいて期待される測位精度を求める測位精度算出手段３７と、求められた測位精度と測位要求のＱｏＳ条件で指定された測位精度とを比較し、測位要求で指定された測位精度を満足する測位が行えるかどうかを判定するＱｏＳ判定手段３８と、測位要求で指定された測位精度を満足する測位が行えないと判定された場合に、その判定結果および得られる測位精度の限界を示すメッセージを測位要求の応答としてＲ−ＧＭＬＣ２１に送信する判定結果通知手段３９と、測位要求で指定された測位精度を満足する測位が行えると判定された場合に、端末１が接続されているネットワーク５に対して測位要求を転送し、その応答としてネットワーク５から返される測位結果をＲ−ＧＭＬＣ２１に送信する測位要求手段４０とを備える。
【００３７】
ＨＬＲ／ＨＳＳ５１は、端末１および端末１の在圏するＲＡＮの測位能力の情報を、その更新時刻と共に記憶するメモリ５２と、Ｈ−ＧＭＬＣ３１の更新確認手段３３から端末１および端末１の在圏するＲＡＮの測位能力について更新時刻の問い合わせがあった場合に、メモリ５２を参照して更新時刻を更新確認手段３３に応答する更新確認応答手段５３と、Ｈ−ＧＭＬＣ３１の測位能力要求手段３５から端末１および端末１の在圏するＲＡＮの測位能力の情報が要求された場合に、メモリ５２を参照して、それらの測位能力をその更新時刻と共に応答する測位能力応答手段５４と、ネットワーク５のＭＳＣ／ＳＧＳＮ（ＶＭＳＣ／ＳＧＳＮ）６１から端末１および端末１の在圏するＲＡＮの測位能力の情報が送られてきたときに、それらの測位能力の情報を最新の情報としてその更新時刻と共にメモリ５２に記憶する保存手段５５とを備える。
【００３８】
ＶＭＳＣ／ＳＧＳＮ６１は、端末１および端末１の在圏するＲＡＮの測位能力の情報を記憶するメモリ６２と、ＲＮＣ７１から端末１および端末１の在圏するＲＡＮの測位能力の情報が送られてきたときにそれらをメモリ６２に記憶する保存手段６３と、端末１から位置登録要求が出されたときに、端末１および端末１の在圏するＲＡＮの測位能力の情報をメモリ６２から読み出してＨＬＲ／ＨＳＳ５１に送信する通知手段６４とを備える。
【００３９】
ＲＮＣ７１は、端末１から自端末の測位能力の情報が送信されたきたときに、この端末１の測位能力と自身の測位能力（端末１が在圏するＲＡＮの測位能力）とをＶＭＳＣ／ＳＧＳＮ６１に通知する端末・ＲＡＮ測位能力通知手段７２を備える。
【００４０】
端末１は、自端末の測位能力の情報をＲＮＣ７１に通知する端末測位能力通知手段８１と、位置登録要求手段８２とを備える。
【００４１】
本実施の形態では、測位能力の情報とは、端末およびＲＡＮが備える測位方式の情報を意味する。測位方式の情報とは、Ｃｅｌｌ  ＩＤ方式、ＯＴＤＯＡ方式、Ａ−ＧＰＳ方式など、測位する方法を意味する。
【００４２】
図１１は、本実施の形態の動作例を示す移動通信システムにおける測位フローである。３つの独立した処理が記載されている。１つ目は、端末１および無線アクセスネットワーク（ＲＡＮ）が備える測位能力をＶＭＳＣ／ＳＧＳＮ６１へ通知する処理である。２つ目は、端末１およびＲＡＮが備える測位能力をＨＬＲ／ＨＳＳ５１へ通知する処理である。３つ目は、ＬＣＳクライアント２から出された端末１の測位要求の処理であり、この処理中で、端末１およびＲＡＮの測位能力とＬＣＳクライアント２からのＱｏＳ条件とを比較、判定して、測位要求を実行するか否かが決定される。
【００４３】
まず、ＶＭＳＣ／ＳＧＳＮ６１へ端末１およびＲＡＮの測位能力を通知する手順について説明する。従来技術の項で示した通り、ネットワーク側からの端末呼び出し、あるいは端末からの発信などの場合に、ＲＲＣ接続処理が行われ、ＲＲＣ接続完了通知（ＲＲＣ  Ｃｏｎｎｅｃｔｉｏｎ  Ｓｅｔｕｐ  Ｃｏｍｐｌｅｔｅ）により端末１からＲＮＣ７１へ端末１が備える測位能力（ＵＥＰｏｓｉｔｉｏｎｉｎｇ  Ｃａｐａｂｉｌｉｔｙ）が通知される（９０１）。その後、本実施の形態で追加される処理として、ＲＮＣ７２は端末１からの通知を受けると、端末・ＲＡＮ測位能力通知手段７２により、ＲＮＣ７２自身が備えている無線アクセスネットワークがサポートする測位能力と併せて、ＶＭＳＣ／ＳＧＳＮ６１へ端末１およびＲＡＮの測位能力を通知するという処理が行われる（９０２）。ＲＮＣ７１から端末１並びにＲＡＮの測位能力が通知されると、ＶＭＳＣ／ＳＧＳＮ６１は、その情報を保存手段６３によりメモリ６２に保持する（９０３）。
【００４４】
次に、ＨＬＲ／ＨＳＳ５１へ端末１およびＲＡＮの測位能力を通知する手順について説明する。従来技術で示した通り、端末の移動に伴って、端末が在圏するＶＭＳＣ／ＳＧＳＮ６１の識別番号がＭＡＰ−ＵＰＤＡＴＥ−ＬＯＣＡＴＩＯＮサービスによりＨＬＲ／ＨＳＳ５１に通知される。本実施の形態では、このＭＡＰ−ＵＰＤＡＴＥ−ＬＯＣＡＴＩＯＮサービスによって通知される情報に、ＲＡＮの測位能力および端末１が備える測位能力の情報を追加して通知する通知手段６４を備えることによって、ＶＭＳＣ／ＳＧＳＮ６１のメモリ６２に保持された端末１およびＲＡＮがサポートする測位能力をＨＬＲ／ＨＳＳ５１へ通知する（９０４、９０５）。なお、ＭＡＰ−ＵＰＤＡＴＥ−ＬＯＣＡＴＩＯＮサービスを使用せずに新たなサービスを追加することによって、ＶＭＳＣ／ＳＧＳＮ６１に保持された端末１およびＲＡＮがサポートする測位能力をＨＬＲ／ＨＳＳ５１へ通知することも可能である。
【００４５】
通知を受けたＨＬＲ／ＨＳＳ５１は、保存手段５５によって、端末１およびＲＡＮが備える測位能力と共に通知を受けた時刻をメモリ５２に保存する（９０６）。
【００４６】
次に、ＱｏＳ要求を満足できるか否かを判定する処理を含む測位要求の処理について説明する。ＬＣＳクライアント２から測位要求を受けたＲ−ＧＭＬＣ２１は、要求転送手段２２によって、Ｈ−ＧＭＬＣ３１に対して測位要求を転送する（９０７、９０８）。Ｈ−ＧＭＬＣ３１は、更新確認手段３３によって、端末１およびＲＡＮがサポートする測位能力の情報が更新されたかどうかをＳｅｎｄ−Ｒｏｕｔｉｎｇ−Ｉｎｆｏ−ｆｏｒ−ＬＣＳサービスを使用してＨＬＲ／ＨＳＳ５１に問い合わせる（９０９）。ＨＬＲ／ＨＳＳ５１は、更新確認応答手段５３により、Ｓｅｎｄ−Ｒｏｕｔｉｎｇ−Ｉｎｆｏ−ｆｏｒ−ＬＣＳサービスを使用して端末１及びＲＡＮがサポートする測位能力情報が更新された時刻をメモリ５２から参照して応答する（９１０）。なお、ＨＬＲ／ＨＳＳ５１に対する問合せは、Ｓｅｎｄ−Ｒｏｕｔｉｎｇ−Ｉｎｆｏ−ｆｏｒ−ＬＣＳサービスを使用せずに、新たなサービスを追加することによって、測位能力情報の更新時刻を確認することも可能である。
【００４７】
Ｈ−ＧＭＬＣ３１は、更新判定手段３４により、ＨＬＲ／ＨＳＳ５１から取得した測位能力情報の更新時刻とキャッシュ３２に保持されている端末１及びＲＡＮの測位能力情報の更新時刻とを比較し、更新の有無を判定する（９１１）。そして、キャッシュ３２に保持した情報の更新時刻が古い場合には、測位能力要求手段３５により、ＨＬＲ／ＨＳＳ５１に対して端末１及びＲＡＮがサポートする測位能力を問い合わせる（９１２）。ＨＬＲ／ＨＳＳ５１は、測位能力応答手段５４により、端末１およびＲＡＮがサポートする測位能力とその情報が更新された時刻とをメモリ５２から読み出し、Ｈ−ＧＭＬＣ３１に通知する（９１３）。Ｈ−ＧＭＬＣ３１は、保存手段３６により、取得した端末１およびＲＡＮがサポートする測位能力の情報とその情報が更新された時刻とをキャッシュ３２に保存する（９１４）。キャッシュ３２に保持した情報の更新時刻が古くない場合、Ｈ−ＧＭＬＣ３１における処理９１２、９１４はスキップされる。
【００４８】
次にＨ−ＧＭＬＣ３１は、測位精度算出手段３７により、キャッシュ３２に保存されている端末１とＲＡＮの最新の測位能力から、期待される測位精度を決定する（９１５）。決定手順の例を図１２を用いて説明する。なお、以下の例では簡単のため測位方法としては、Ｃｅｌｌ  ＩＤ方式、ＯＴＤＯＡ方式、Ａ−ＧＰＳ方式、単独方式の４種類のみを考える。
【００４９】
測位精度算出手段３７は、各測位方法毎に、その測位方式で期待される測位精度が予め設定された図１２に示すようなテーブルを持っている。また、このテーブルには、それぞれの測位方式を端末（ＵＥ）、ＲＡＮがサポートしているか否かを設定する欄があり、初期状態ではすべてＦａｌｓｅにリセットされている。測位精度算出手段３７は、取得した端末１の最新の測位能力からサポートする測位方式に対応する欄をＴｒｕｅにセットする。図１２の例では、単独方式を除く全ての方式が端末１でサポートされているとしている。次にＲＡＮの最新の測位能力からサポートする測位方式に対応する欄をＴｒｕｅにセットする。図１２の例では、Ｃｅｌｌ  ＩＤ方式のみをサポートしている場合を示す。次に端末およびＲＡＮともＴｒｕｅになった測位方式のうち、期待される測位精度が最も高いものを、期待される測位精度に決定する。図１２の場合、測位方式としては、Ｃｅｌｌ  ＩＤ方式のみが使用可能であることが識別される。各測位方式は、おおよその期待される測位精度が予め分かっていることから、Ｃｅｌｌ  ＩＤ方式が選択された時点で、測位精度はおおよそ１ｋｍであることが分かる。
【００５０】
次にＨ−ＧＭＬＣ３１は、ＱｏＳ判定手段３８により、測位精度算出手段３７で得られた期待される測位精度とＬＣＳクライアント２からの測位要求で指定された測位精度とを比較し、ＱｏＳ判定を行う（９１６）。そして、測位要求で指定された測位精度を満足する測位が行えないと判定した場合は、判定結果通知手段３９により、判定結果を測位要求に対する応答としてＲ−ＧＭＬＣ２１に送信する（９１７）。この応答はＲ−ＧＭＬＣ３１の応答転送手段２３によってＬＣＳクライアント２へ転送される（９１８）。なお、得られる測位精度の限界を応答に含めることで、ＬＣＳクライアント２が測位要求を再送信する際にＱｏＳ中の測位精度をどの程度にすれば良いかが分るようになる。他方、測位要求で指定された測位精度を満足する測位が行えると判定された場合、従来の測位処理手順に従って測位処理を実行する。つまり、Ｈ−ＧＭＬＣ３１は、測位要求手段４０により、端末１のローミング先のネットワーク５に対して測位要求を転送し、その応答としてネットワーク５から返される測位結果をＲ−ＧＭＬＣ２１に送信する。
【００５１】
例えば、ＬＣＳクライアント２からの測位要求の精度が１０ｍであったとすれば、図１２に示した例の場合、要求される精度が満足できないと推測されるため、Ｈ−ＧＭＬＣ３１は、測位精度の限界が１ｋｍであることをＲ−ＧＭＬＣ３１を経由してＬＣＳクライアント２に応答する。結果として、ＬＣＳクライアント２の要求を満足できないと判断される測位要求はローミング先のネットワーク５には転送されず、ネットワークの資源を無駄に使用することはなくなる。
【００５２】
以上の説明では、測位能力の情報を測位方式の情報としたが、測位方式の情報だけでなく、測位間隔、測位開始イベント、測位終了イベント、測位精度や測位精度判定の基準値（存在確率）を、測位能力の情報として扱うことも考えられる。また、測位方式としては、Ｃｅｌｌ  ＩＤ方式、ＯＴＤＯＡ方式、Ａ−ＧＰＳ方式、単独方式を挙げたが、本発明はこれに限定されるものではない。
【００５３】
また、ＬＣＳクライアント２が接続する移動体通信事業者Ａのネットワーク３と、端末１が契約している移動体通信事業者Ｂのネットワーク４と、測位を実行する移動体通信事業者Ｃのネットワーク５とがそれぞれ異なる場合について説明したが、本発明はこれに限定されるものではない。例えば、移動体通信事業者Ａのネットワーク３と移動体通信事業者Ｂのネットワーク４が同一通信事業者にかかるネットワークであって、Ｒ−ＧＭＬＣ２１とＨ−ＧＭＬＣ３１が同一である場合や、移動体通信事業者Ｂのネットワーク４と移動体通信事業者Ｃのネットワーク５が同一通信事業者にかかるネットワークであって、Ｈ−ＧＭＬＣ３１とＶ−ＧＭＬＣが同一である場合や、移動体通信事業者Ａと移動体通信事業者Ｂと移動体通信事業者Ｃの各ネットワーク３、４、５が同一通信事業者にかかるネットワークであって、Ｒ−ＧＭＬＣ２１とＨ−ＧＭＬＣ３１とＶ−ＧＭＬＣが同一である場合も考えられる。この場合には、それぞれのノードの機能が縮退することになる。
【００５４】
更に、本実施の形態では、ＶＭＳＣ／ＳＧＳＮ６１は端末１およびＲＡＮの測位能力をＨＬＲ／ＨＳＳ５１に通知し、ＨＬＲ／ＨＳＳ５１が保持する例を示したが、測位能力を保持するデータベースがＨＬＲ／ＨＳＳ５１に限定されるものではない。端末が契約する移動体通信事業者Ｂのネットワーク４のノード（例えばＨ−ＧＭＬＣ３１）であればよい。
【００５５】
また、端末１の測位能力、ＲＡＮの測位能力は、ＶＭＳＣ／ＳＧＳＮ６１からＨＬＲ／ＨＳＳ５１へ通知される例を示したが、測位能力を動的に通知することに限定されるものではない。ＨＬＲ／ＨＳＳ５１あるいは他のデータベースが静的に端末１およびＲＡＮの測位能力を保持していてもよい。
【００５６】
また、本実施の形態では、端末１の測位能力とＲＡＮの測位能力との双方を扱った。しかし、端末１がサポートしている測位能力の全てがＲＡＮでサポートされていることが事前に明らかである場合など、端末１の測位能力さえ分れば、測位要求で指定された測位精度などのＱｏＳ条件が満たされるかどうかを判定できる場合がある。このような場合には、本実施の形態からＲＡＮの測位能力にかかる処理の部分を省略し、端末１の測位能力だけを扱うように変形することができる。同様に、ＲＡＮがサポートしている測位能力の全てが全ての端末でサポートされていることが事前に明らかである場合など、ＲＡＮの測位能力さえ分れば、測位要求で指定された測位精度などのＱｏＳ条件が満たされるかどうかを判定できる場合がある。このような場合には、本実施の形態から端末１の測位能力にかかる処理の部分を省略し、ＲＡＮの測位能力だけを扱うように変形することができる。
【００５７】
【発明の第２の実施の形態】
第１の実施の形態では、端末１とＲＮＣ７１間でのＲＲＣ接続処理が行われた後、ＲＮＣ７１からＶＭＳＣ／ＳＧＳＮ６１に対して端末１およびＲＡＮの測位能力が通知される手順であったが、本実施の形態では、端末１からＶＭＳＣ／ＳＧＳＮ６１に対する位置登録要求（Ｌｏｃａｔｉｏｎ  Ｕｐｄａｔｉｎｇ  Ｒｅｑｕｅｓｔ）が行われたタイミングで、ＶＭＳＣ／ＳＧＳＮ６１が測位能力を取得する手順を採用している。
【００５８】
本実施の形態にかかる移動通信ネットワークの構成例を図１３を参照して説明する。図１３において、第１の実施の形態にかかる移動通信ネットワークの構成を示した図１０と相違する部分は、ネットワーク５のＶＭＳＣ／ＳＧＳＮ６１の内部構成とＲＮＣ７１の内部構成であり、その他の部分は第１の実施の形態にかかる移動通信ネットワークの構成と同じである。
【００５９】
本実施の形態では、ＲＮＣ７１は、端末１の測位能力の情報を記憶するメモリ７３と、端末１の端末測位能力通知手段８１から端末１の測位能力が通知されたとき、それをメモリ７３に記憶する保存手段７４と、ＶＭＳＣ／ＳＧＳＮ６１から端末１およびＲＡＮの測位能力を問い合せる要求があった場合に、メモリ７３から端末１の測位能力の情報を読み出し、これと自身の測位能力（ＲＡＮの測位能力）の情報とをＶＭＳＣ／ＳＧＳＮ６１に通知する端末・ＲＡＮ測位能力通知手段７２とを備える。
【００６０】
ＶＭＳＣ／ＳＧＳＮ６１は、端末１およびＲＡＮの測位能力の情報を記憶するメモリ６２と、端末１の位置登録要求手段８２から位置登録要求があったときに、ＲＮＣ７１に対して端末１およびＲＡＮの測位能力を問い合せる要求手段６５と、この問い合わせに対してＲＮＣ７１から端末１およびＲＡＮの測位能力の情報が返されてきた場合に、それをメモリ６２に記憶する保存手段６３と、メモリ６２に保存された端末１およびＲＡＮの測位能力の情報をＨＬＲ／ＨＳＳ５１に通知する通知手段６４とを備える。
【００６１】
図１４は本実施の形態の動作例を示す移動体通信システムの測位フローの一部である。従来技術の項で記載したとおり、端末１とＲＮＣ７１の間でＲＲＣ接続処理が行われた際に端末１の測位能力がＲＮＣ７１に通知される（１００１）。本実施の形態のＲＮＣ７１は、このとき保存手段７４により、通知された端末１の測位能力の情報をメモリ７３に記憶する。また、従来技術の項で記載したとおり、端末１が他のＭＳＣ／ＳＧＳＮの配下に移動した場合や電源をＯＮした場合などに、端末１とＭＳＣ／ＳＧＳＮ間で位置登録処理が行われる。本実施の形態のＶＭＳＣ／ＳＧＳＮ６１は、端末１からの位置登録要求（Ｌｏｃａｔｉｏｎ  Ｕｐｄａｔｉｎｇ  Ｒｅｑｕｅｓｔ）を受け付けると（１００２）、要求手段６５によってＲＮＣ７１に対して端末１およびＲＡＮの測位能力を要求する（１００３）。そして、ＲＮＣ７１の端末・ＲＡＮ測位能力通知手段７２が端末１とＲＡＮの測位能力の情報を送信してくると（１００４）、ＶＭＳＣ／ＳＧＳＮ６１は、保存手段６３によって、取得した端末１およびＲＡＮの測位能力をメモリ６２に保存し（１００５）、同時に通知手段６４によって、ＨＬＲ／ＨＳＳ５１に対して通知する（１００６）。ＨＬＲ／ＨＳＳ５１は、保存手段５５によって、通知された端末１およびＲＡＮの測位能力をメモリ５２に保存する（１００７）。
【００６２】
なお、ＶＭＳＣ／ＳＧＳＮ６１は、ＲＮＣ７１から通知された端末１およびＲＡＮの測位能力の情報とメモリ６２に保存されている端末１およびＲＡＮの測位能力の情報とが同じかどうかを比較し、更新されていなければ、通知手段６４によるＨＬＲ／ＨＳＳ５１への通知を省略するようにしても良い。
【００６３】
その他の本実施の形態の動作は第１の実施の形態と同じである。また、第１の実施の形態について述べた各種の変更も本実施の形態に対して適用可能である。
【００６４】
【発明の第３の実施の形態】
第１、第２の実施の形態では、ＶＭＳＣ／ＳＧＳＮ６１はＲＮＣ７１から端末１およびＲＡＮの測位能力情報を取得していたが、本実施の形態では、ＶＭＳＣ／ＳＧＳＮ６１は、ＲＡＮの測位能力情報はＲＮＣ７１から取得し、端末１の測位能力情報は端末１から直接に取得する手順を採用している。
【００６５】
本実施の形態にかかる移動通信ネットワークの構成例を図１５を参照して説明する。図１５において、第１の実施の形態にかかる移動通信ネットワークの構成を示した図１０と相違する部分は、ネットワーク５のＶＭＳＣ／ＳＧＳＮ６１の内部構成とＲＮＣ７１の内部構成であり、その他の部分は第１の実施の形態にかかる移動通信ネットワークの構成と同じである。
【００６６】
本実施の形態では、ＲＮＣ７１は、ＶＭＳＣ／ＳＧＳＮ６１からＲＡＮの測位能力を問い合せる要求があった場合に、自身の測位能力（ＲＡＮの測位能力）をＶＭＳＣ／ＳＧＳＮ６１に通知するＲＡＮ測位能力通知手段７５を備える。
【００６７】
ＶＭＳＣ／ＳＧＳＮ６１は、端末１の測位能力の情報を記憶するメモリ６２−１と、ＲＡＮの測位能力の情報を記憶するメモリ６２−２と、端末１の位置登録要求手段８２から位置登録要求があったときに、ＲＮＣ７１に対してＲＡＮの測位能力を問い合せる要求手段６５−１と、この問い合わせに対してＲＮＣ７１からＲＡＮの測位能力の情報が返されてきた場合に、それをメモリ６２−１に記憶する保存手段６３−１と、同じく端末１の位置登録要求手段８２から位置登録要求があったときに、端末１に対して端末１の測位能力を問い合せる要求手段６５−２と、この問い合わせに対して端末１から端末１の測位能力の情報が返されてきた場合に、それをメモリ６２−２に記憶する保存手段６３−２と、メモリ６２−１に保存された端末１の測位能力の情報およびメモリ６２−１に保存されたＲＡＮの測位能力の情報をＨＬＲ／ＨＳＳ５１に通知する通知手段６４とを備える。
【００６８】
図１６は本実施の形態の動作例を示す移動体通信システムの測位フローの一部である。従来技術の項で記載したとおり、端末１が他のＭＳＣ／ＳＧＳＮの配下に移動した場合や電源をＯＮした場合などに端末１とＭＳＣ／ＳＧＳＮ間で位置登録処理が行われる。本実施の形態のＶＭＳＣ／ＳＧＳＮ６１は、端末１からの位置登録要求（Ｌｏｃａｔｉｏｎ  Ｕｐｄａｔｉｎｇ  Ｒｅｑｕｅｓｔ）を受け付けると（１１０１）、ＲＡＮ測位能力要求手段６５−１により、ＲＮＣ７１に対してＲＡＮの測位能力を要求する（１１０２）。そして、ＲＮＣ７１がＲＡＮの測位能力の情報をＲＡＮ測位能力通知手段７５によって送信してくると（１１０３）、ＶＭＳＣ／ＳＧＳＮ６１は、保存手段６３−１により、このＲＡＮの測位能力情報をメモリ６２−１に保存する（１１０４）。
【００６９】
次にＶＭＳＣ／ＳＧＳＮ６１は、端末測位能力要求手段６５−２により、端末１に対して測位能力を要求する（１１０５）。そして、端末１が自身の測位能力の情報を端末測位能力通知手段８１により送信してくると（１１０６）、ＶＭＳＣ／ＳＧＳＮ６１は、保存手段６３−２により、この端末１の測位能力情報をメモリ６２−２に保存する（１１０７）。
【００７０】
引き続きＶＭＳＣ／ＳＧＳＮ６１は、メモリ６２−１に今回保存したＲＡＮの測位能力情報とメモリ６２−２に今回保存した端末１の測位能力情報とを、通知手段６４により、ＨＬＲ／ＨＳＳ５１に通知する（１１０８）。ＨＬＲ／ＨＳＳ５１は、通知された端末１およびＲＡＮの測位能力を保存手段５５によってメモリ５２に保存する（１１０９）。
【００７１】
なお、ＶＭＳＣ／ＳＧＳＮ６１は、ＲＮＣ７１から通知されたＲＡＮの測位能力の情報とメモリ６２−１に保存されているＲＡＮの測位能力の情報とが同じかどうか、端末１から通知された端末１の測位能力の情報とメモリ６２−２に保存されている端末１の測位能力の情報とが同じかどうかを比較し、更新されていなければ、通知手段６４によるＨＬＲ／ＨＳＳ５１への通知を省略するようにしても良い。
【００７２】
その他の本実施の形態の動作は第１の実施の形態と同じである。また、第１の実施の形態について述べた各種の変更も本実施の形態に対して適用可能である。
【００７３】
【発明の第４の実施の形態】
第１の実施の形態では、ＬＣＳクライアント２の要求するＱｏＳ条件が満足できるか否かの判定を、測位対象となる端末１が契約している移動体通信事業者Ｂのネットワーク４のＨ−ＧＭＬＣ３１で処理していたが、本実施の形態では、ＬＣＳクライアント２が接続される移動体通信事業者Ａのネットワーク３のＲ−ＧＭＬＣ２１で処理する。
【００７４】
本実施の形態にかかる移動通信ネットワークの構成例を図１７を参照して説明する。本実施の形態では、Ｒ−ＧＭＬＣ２１は、端末１および端末１の在圏するＲＡＮの測位能力の情報を、その更新時刻と共に保持するキャッシュ２４と、ＬＣＳクライアント２から端末１の測位要求を受信したときに、端末１および端末１が在圏するＲＡＮの最新の測位能力の情報がキャッシュ２４に保持されているかどうかを調べるために、端末１のホームネットワーク４のＨＬＲ／ＨＳＳ５１に対して端末１および端末１が在圏するＲＡＮの最新の測位能力の情報が更新された最新時刻を問い合せる更新確認手段２６と、この問い合わせに応じてＨＬＲ／ＨＳＳ５１から返される最新更新時刻とキャッシュ２４に保存されている端末１および端末１が在圏するＲＡＮの測位能力の情報の更新時刻とを比較してキャッシュ内容の有効性を判定する更新判定手段２６と、キャッシュ内容が古い場合に端末１および端末１が在圏するＲＡＮの最新の測位能力の情報をＨＬＲ／ＨＳＳ５１に要求する測位能力要求手段２７と、この要求に応じてＨＬＲ／ＨＳＳ５１から返される端末１および端末１が在圏するＲＡＮの測位能力の情報をキャッシュ２４に保存する保存手段２８と、端末１および端末１が在圏するＲＡＮの最新の測位能力の情報に基づいて期待される測位精度を求める測位精度算出手段２９と、求められた測位精度と測位要求のＱｏＳ条件で指定された測位精度とを比較し、測位要求で指定された測位精度を満足する測位が行えるかどうかを判定するＱｏＳ判定手段２Ａと、測位要求で指定された測位精度を満足する測位が行えないと判定された場合に、その判定結果および得られる測位精度の限界を示すメッセージを測位要求の応答としてＬＣＳクライアント２に送信する判定結果通知手段２Ｂと、測位要求で指定された測位精度を満足する測位が行えると判定された場合に、ＬＣＳクライアント２から受信した測位要求を、測位対象である端末１のホームネットワークであるネットワーク４のＨ−ＧＭＬＣに転送する要求転送手段２２と、転送した測位要求に対する応答をＨ−ＧＭＬＣから受信し、ＬＣＳクライアント２に転送する応答転送手段２３とを備える。
【００７５】
その他の本実施の形態にかかるネットワーク中の各構成要素は、第１の実施の形態と同じである。但し、ＬＣＳクライアント２の要求するＱｏＳ条件が満足できるか否かの判定機能をＲ−ＧＭＬＣ２１に持たせているため、Ｈ−ＧＭＬＣにおける判定機能は省略されており、Ｈ−ＧＭＬＣは従来技術の項で説明した従来と同様の構成を有する。
【００７６】
図１８は、本実施の形態の動作例を示す移動体通信システムの測位フローの一部であり、ＬＣＳクライアント２から出された端末１の測位要求に対して、端末１およびＲＡＮの測位能力とＬＣＳクライアント２からのＱｏＳ条件とを比較、判定して、測位要求を実行するか否かを決定する処理部分のフローを示す。なお、端末１およびＲＡＮが備える測位能力をネットワーク５のＶＭＳＣ／ＳＧＳＮへ通知する処理、端末１およびＲＡＮが備える測位能力をＨＬＲ／ＨＳＳ５１へ通知する処理は、第１の実施の形態と同様に行っても良いし、第２あるいは第３の実施の形態と同様に行うようにしても良い。
【００７７】
次に図１８を参照して、ＱｏＳ要求を満足できるか否かをＲ−ＧＭＬＣ２１で判定する処理を含む測位要求の処理について説明する。ＬＣＳクライアント２から測位要求（１２０１）を受けたＲ−ＧＭＬＣ２１は、更新確認手段２５によって、端末１およびＲＡＮがサポートする測位能力の情報が更新されたかどうかをＳｅｎｄ−Ｒｏｕｔｉｎｇ−Ｉｎｆｏ−ｆｏｒ−ＬＣＳサービスを使用してＨＬＲ／ＨＳＳ５１に問い合わせる（１２０２）。ＨＬＲ／ＨＳＳ５１は、更新確認応答手段５３により、Ｓｅｎｄ−Ｒｏｕｔｉｎｇ−Ｉｎｆｏ−ｆｏｒ−ＬＣＳサービスを使用して端末１及びＲＡＮがサポートする測位能力情報が更新された時刻をメモリ５２から参照して応答する（１２０３）。なお、ＨＬＲ／ＨＳＳ５１に対する問合せは、Ｓｅｎｄ−Ｒｏｕｔｉｎｇ−Ｉｎｆｏ−ｆｏｒ−ＬＣＳサービスを使用せずに、新たなサービスを追加することによって、測位能力情報の更新時刻を確認することも可能である。
【００７８】
Ｒ−ＧＭＬＣ２１は、更新判定手段２６により、ＨＬＲ／ＨＳＳ５１から取得した測位能力情報の更新時刻とキャッシュ２４に保持されている端末１及びＲＡＮの測位能力情報の更新時刻とを比較し、更新の有無を判定する（１２０４）。そして、キャッシュ２４に保持した情報の更新時刻が古い場合には、測位能力要求手段２７により、ＨＬＲ／ＨＳＳ５１に対して端末１及びＲＡＮがサポートする測位能力を問い合わせる（１２０５）。ＨＬＲ／ＨＳＳ５１は、測位能力応答手段５４により、端末１およびＲＡＮがサポートする測位能力の情報とその情報が更新された時刻とをメモリ５２から読み出し、Ｒ−ＧＭＬＣ２１に通知する（１２０６）。Ｒ−ＧＭＬＣ２１は、保存手段２８により、取得した端末１およびＲＡＮがサポートする測位能力の情報とその情報が更新された時刻とをキャッシュ２４に保存する（１２０７）。キャッシュ２４に保持した情報の更新時刻が古くない場合、Ｒ−ＧＭＬＣ２１における処理１２０５、１２０７はスキップされる。
【００７９】
次にＲ−ＧＭＬＣ２１は、測位精度算出手段２９により、キャッシュ２４に保存されている端末１とＲＡＮの最新の測位能力の情報から、期待される測位精度を決定する（１２０８）。決定の方法は、第１の実施の形態における測位精度算出手段３７と同じである。次にＲ−ＧＭＬＣ２１は、ＱｏＳ判定手段２Ａにより、測位精度算出手段２９で得られた期待される測位精度とＬＣＳクライアント２からの測位要求で指定された測位精度とを比較し、ＱｏＳ判定を行う（１２０９）。そして、測位要求で指定された測位精度を満足する測位が行えないと判定した場合は、判定結果通知手段２Ｂにより、判定結果および得られる測位精度の限界（期待される測位精度）を示したメッセージを測位要求に対する応答としてＬＣＳクライアント２に送信する（１２１０）。他方、測位要求で指定された測位精度を満足する測位が行えると判定された場合、従来の測位処理手順に従って測位処理を実行する。つまり、Ｒ−ＧＭＬＣ２１は、要求転送手段２２により、ＬＣＳクライアント２から受信した端末１の測位要求を、端末１のホームネットワークであるネットワーク４のＨ−ＧＭＬＣに転送する。そして、Ｈ−ＧＭＬＣから応答が返ってくると、Ｒ−ＧＭＬＣ２１は、応答転送手段２３により、その応答をＬＣＳクライアント２へ転送する。
【００８０】
その他の本実施の形態の動作は第１の実施の形態と同じである。また、第１の実施の形態について述べた各種の変更も本実施の形態に対して適用可能である。
【００８１】
【発明の第５の実施の形態】
第１の実施の形態では、端末１のローミング先ネットワーク５がサポートしている測位能力の情報をＲＮＣ７１が保持し、ＲＮＣ７１に保持された測位能力情報をＶＭＳＣ／ＳＧＳＮ６１、ＨＬＲ／ＨＳＳ５１経由でＨ−ＧＭＬＣ３１が取得するようにしたが、同一の移動体通信事業者のネットワーク内にある全てのＲＡＮがサポートする測位能力が同じである場合、そのネットワークがサポートする測位能力として扱うことができる。そこで、本実施の形態では、端末１のローミング先ネットワーク５がサポートしている測位能力の情報をネットワーク５のＧＭＬＣ（Ｖ−ＧＭＬＣ）で保持し、Ｈ−ＧＭＬＣ３１はＶ−ＧＭＬＣから端末１のローミング先ネットワーク５がサポートしている測位能力の情報を取得する構成を採用する。また、本実施の形態では、図１２に示した測位方式と期待される測位精度との対応を、端末１のローミング先ネットワークから動的に取得することによって、同じ測位方式であってもネットワーク毎に期待される測位精度が異なる状況に対応可能としている。
【００８２】
本実施の形態にかかる移動通信ネットワークの構成例を図１９を参照して説明する。なお、端末１、ＬＣＳクライアント２、Ｒ−ＧＭＬＣ２１の構成は第１の実施の形態の対応する要素と同じ構成なので、Ｈ−ＧＭＬＣ３１、ＨＬＲ／ＨＳＳ５１、ＶＭＳＣ／ＳＧＳＮ６１、ＲＮＣ７１、そしてＶ−ＧＭＬＣ８４の構成について説明する。
【００８３】
Ｈ−ＧＭＬＣ３１は、端末１の測位能力の情報を、その更新時刻と共に保持するキャッシュ３２−１と、Ｒ−ＧＭＬＣ２１からＬＣＳクライアント２が発した端末１の測位要求を受信したときに、端末１の最新の測位能力の情報がキャッシュ３２−１に保持されているかを調べるために、ＨＬＲ／ＨＳＳ５１に対して端末１の最新の測位能力情報が更新された最新時刻を問い合せる更新確認手段３３−１と、この問い合わせに応じてＨＬＲ／ＨＳＳ５１から返される最新更新時刻とキャッシュ３２−１に保存されている端末１の測位能力情報の更新時刻とを比較してキャッシュ内容の有効性を判定する更新判定手段３４と、キャッシュ内容が古い場合に端末１の最新の測位能力情報をＨＬＲ／ＨＳＳ５１に要求する測位能力要求手段３５−１と、この要求に応じてＨＬＲ／ＨＳＳ５１から返される端末１の測位能力情報をその更新時刻と共にキャッシュ３２−１に保存する保存手段３６−１と、端末１のローミング先ネットワーク５がサポートする測位能力の情報を保持するキャッシュ３２−２と、Ｖ−ＧＭＬＣ８４から送信されてきたネットワーク５がサポートする最新の測位能力の情報をキャッシュ３２−２に保存する保存手段３６−２と、端末１のローミング先ネットワーク５の測位能力情報がキャッシュ３２−２に保存されているかどうかを確認する測位能力存在確認手段３３−２と、保存されていなかった場合に端末１のローミング先ネットワーク５のＶ−ＧＭＬＣ８４に対して、ネットワーク５がサポートする測位能力の情報を要求する要求手段３５−２と、キャッシュ３２−１に保存された端末１の最新の測位能力情報およびキャッシュ３２−２に保存された端末１のローミング先ネットワークの最新の測位能力情報に基づいて、期待される測位精度を求める測位精度算出手段３７と、求められた測位精度と測位要求のＱｏＳ条件で指定された測位精度などとに基づいて、測位要求で指定されたＱｏＳ条件を満足する測位が行えるかどうかを判定するＱｏＳ判定手段３８と、測位要求で指定されたＱｏＳ条件を満足する測位が行えないと判定された場合に、その判定結果およびローミング先ネットワーク５で提供可能なＱｏＳ条件を測位要求の応答としてＲ−ＧＭＬＣ２１に送信する判定結果通知手段３９と、測位要求で指定されたＱｏＳ条件を満足する測位が行えると判定された場合に、端末１のローミング先ネットワーク５に対して測位要求を転送し、その応答としてネットワーク５から返される測位結果をＲ−ＧＭＬＣ２１に送信する測位要求手段４０とを備える。
【００８４】
ＨＬＲ／ＨＳＳ５１は、端末１の測位能力の情報を、その更新時刻と共に記憶するメモリ５６と、Ｈ−ＧＭＬＣ３１の更新確認手段３３−１から端末１の測位能力について更新時刻の問い合わせがあった場合に、メモリ５６を参照して更新時刻を更新確認手段３３−１に応答する更新確認応答手段５３と、Ｈ−ＧＭＬＣ３１の測位能力要求手段３５−１から端末１の測位能力情報が要求された場合に、メモリ５６を参照して、端末１の測位能力情報をその更新時刻と共に応答する測位能力応答手段５４と、ネットワーク５のＶＭＳＣ／ＳＧＳＮ６１から端末１の測位能力情報が通知されてきたときに、それを最新の情報としてその更新時刻（通知時刻）と共にメモリ５６に記憶する保存手段５５とを備える。
【００８５】
ＶＭＳＣ／ＳＧＳＮ６１は、端末１の測位能力の情報を記憶するメモリ６６と、ＲＮＣ７１から端末１の測位能力情報が送られてきたときにそれをメモリ６６に記憶する保存手段６３と、端末１から位置登録要求が出されたときに、端末１の測位能力情報をメモリ６６から読み出してＨＬＲ／ＨＳＳ５１に送信する通知手段６４とを備える。
【００８６】
ＲＮＣ７１は、端末１から自端末の測位能力の情報が送信されたきたときに、この端末１の測位能力の情報をＶＭＳＣ／ＳＧＳＮ６１に通知する端末測位能力通知手段７６を備える。
【００８７】
Ｖ−ＧＭＬＣ８４は、自ネットワーク５がサポートしている測位能力の情報を記憶するメモリ８５と、自ネットワーク５がサポートする測位能力に変更があった場合に、その変更後の測位能力の情報でメモリ８５の元の情報を書き換える測位能力更新手段８６と、自ネットワーク５がサポートする測位能力が変更される毎に、変更後の測位能力の情報を事前に登録されているＨ−ＧＭＬＣ３１に通知する更新通知手段８７と、Ｈ−ＧＭＬＣ３１から自ネットワーク５の測位能力の問い合わせがあった場合に、メモリ８５に記憶された自ネットワーク５の測位能力の情報をＨ−ＧＭＬＣ３１に通知する通知手段８８とを備える。
【００８８】
本実施の形態では、測位能力の情報は、測位方式と測位精度との対応関係、周期的に測位を実行する場合に受付可能な最低周期、特定のイベントで測位を開始する場合に受付可能なイベントの種類などを含んでいる。
【００８９】
図２０は本実施の形態の動作例を示す移動体通信システムの測位フローである。４つの独立したフローが記載されている。１つ目、２つ目のフローは第１の実施の形態と同様である。ただし、ＶＭＳＣ／ＳＧＳＮ６１、ＨＬＲ／ＨＳＳ５１へ通知される情報は、端末の測位能力情報のみである。３つ目のフローは、端末１のローミング先ネットワーク５がサポートする測位能力をＨ−ＧＭＬＣ３１へ通知する処理である。４つ目のフローは、端末１および端末１のローミング先ネットワークの測位能力とＬＣＳクライアント２からのＱｏＳ要求を比較、判定する処理を含む、測位処理に対する処理である。以下、各処理について説明する。
【００９０】
まず、ＶＭＳＣ／ＳＧＳＮ６１へ端末１の測位能力を通知する手順について説明する。従来技術の項で示した通り、ネットワーク側からの端末呼び出し、あるいは端末からの発信などの場合に、ＲＲＣ接続処理が行われ、ＲＲＣ接続完了通知（ＲＲＣ  Ｃｏｎｎｅｃｔｉｏｎ  Ｓｅｔｕｐ  Ｃｏｍｐｌｅｔｅ）により端末１からＲＮＣ７１へ端末１が備える測位能力（ＵＥ  Ｐｏｓｉｔｉｏｎｉｎｇ  Ｃａｐａｂｉｌｉｔｙ）が通知される（１３０１）。その後、本実施の形態で追加される処理として、ＲＮＣ７２は端末１からの通知を受けると、端末測位能力通知手段７６により、ＶＭＳＣ／ＳＧＳＮ６１へ端末１の測位能力を通知するという処理が行われる（１３０２）。ＲＮＣ７１から端末１の測位能力が通知されると、ＶＭＳＣ／ＳＧＳＮ６１は、その情報を保存手段６３によりメモリ６６に保持する（１３０３）。
【００９１】
次に、ＨＬＲ／ＨＳＳ５１へ端末１の測位能力を通知する手順について説明する。従来技術で示した通り、端末の移動に伴って、端末が在圏するＶＭＳＣ／ＳＧＳＮ６１の識別番号がＭＡＰ−ＵＰＤＡＴＥ−ＬＯＣＡＴＩＯＮサービスによりＨＬＲ／ＨＳＳ５１に通知される。本実施の形態では、このＭＡＰ−ＵＰＤＡＴＥ−ＬＯＣＡＴＩＯＮサービスによって通知される情報に、端末１が備える測位能力の情報を追加して通知する通知手段６４を備えることによって、ＶＭＳＣ／ＳＧＳＮ６１のメモリ６６に保持された端末１の測位能力情報をＨＬＲ／ＨＳＳ５１へ通知する（１３０５）。なお、ＭＡＰ−ＵＰＤＡＴＥ−ＬＯＣＡＴＩＯＮサービスを使用せずに新たなサービスを追加することによって、ＶＭＳＣ／ＳＧＳＮ６１に保持された端末１の測位能力情報をＨＬＲ／ＨＳＳ５１へ通知することも可能である。
【００９２】
通知を受けたＨＬＲ／ＨＳＳ５１は、保存手段５５によって、端末１の測位能力情報をその通知を受けた時刻と共にメモリ５６に保存する（１３０６）。
【００９３】
次に、ローミング先のネットワーク５がサポートする測位能力をＨ−ＧＭＬＣに通知する処理について説明する。移動体通信事業者Ｃのネットワーク５でローミング加入者に提供可能な測位能力、具体的には、第１の実施の形態で示した測位方式と測位精度の対応関係や周期的に測位を実行する場合に受付可能な最低周期、特定のイベントで測位処理を開始する場合に受付可能なイベントの種類などをＶ−ＧＭＬＣ８４のメモリ８５に保持している。Ｖ−ＧＭＬＣ８４は、ネットワーク５がサポートする測位能力に変更があった場合、測位能力更新手段８６により、メモリ８５に保持した内容を変更する（１３０７）。そして、更新通知手段８７により、事前に登録されているＨ−ＧＭＬＣ５１に更新された情報を通知する（１３０８）。通知を受けたＨ−ＧＭＬＣ５１は、ａｃｋを返し（１３０９）、保存手段３６−２により、その内容をメモリ３２−２に保存する（１３１０）。
【００９４】
次に、ＱｏＳ要求を満足できるか否かを判定する処理を含む測位要求の処理について説明する。ＬＣＳクライアント２から測位要求を受けたＲ−ＧＭＬＣ２１は、要求転送手段２２によって、Ｈ−ＧＭＬＣ３１に対して測位要求を転送する（１３１１、１３１２）。Ｈ−ＧＭＬＣ３１は、更新確認手段３３−１によって、端末１の情報が更新されたかどうかをＳｅｎｄ−Ｒｏｕｔｉｎｇ−Ｉｎｆｏ−ｆｏｒ−ＬＣＳサービスを使用してＨＬＲ／ＨＳＳ５１に問い合わせる（１３１３）。ＨＬＲ／ＨＳＳ５１は、更新確認応答手段５３により、Ｓｅｎｄ−Ｒｏｕｔｉｎｇ−Ｉｎｆｏ−ｆｏｒ−ＬＣＳサービスを使用して端末１の測位能力情報が更新された時刻をメモリ５６から参照して応答する（１３１４）。なお、ＨＬＲ／ＨＳＳ５１に対する問合せは、Ｓｅｎｄ−Ｒｏｕｔｉｎｇ−Ｉｎｆｏ−ｆｏｒ−ＬＣＳサービスを使用せずに、新たなサービスを追加することによって、測位能力情報の更新時刻を確認することも可能である。
【００９５】
Ｈ−ＧＭＬＣ３１は、更新判定手段３４により、ＨＬＲ／ＨＳＳ５１から取得した測位能力情報の更新時刻とキャッシュ３２−１に保持されている端末１の測位能力情報の更新時刻とを比較し、更新の有無を判定する（１３１５）。そして、キャッシュ３２−１に保持した情報の更新時刻が古い場合には、測位能力要求手段３５−１により、ＨＬＲ／ＨＳＳ５１に対して端末１の測位能力を問い合わせる（１３１６）。ＨＬＲ／ＨＳＳ５１は、測位能力応答手段５４により、端末１の測位能力情報とその情報が更新された時刻とをメモリ５６から読み出し、Ｈ−ＧＭＬＣ３１に通知する（１３１７）。Ｈ−ＧＭＬＣ３１は、保存手段３６−１により、取得した端末１の測位能力情報とその情報が更新された時刻とをキャッシュ３２−１に保存する（１３１８）。キャッシュ３２−１に保持した情報の更新時刻が古くない場合、Ｈ−ＧＭＬＣ３１における処理１３１６、１３１８はスキップされる。
【００９６】
次にＨ−ＧＭＬＣ３１は、測位精度算出手段３７による処理を行うのに先立って、測位能力存在確認手段３３−２により、端末１のローミング先ネットワーク５の測位能力情報がキャッシュ３２−２に存在するかどうかを確認する（１３１９）。若し、存在しない場合は、要求手段３５−２により、ネットワーク５のＶ−ＧＭＬＣ８４に対して、ネットワーク５の測位能力情報を要求する（１３２０）。Ｖ−ＧＭＬＣ８４は、通知手段８８により、メモリ８５からネットワーク５の測位能力情報を読み出し、Ｈ−ＧＭＬＣ３１へ通知する（１３２１）。Ｈ−ＧＭＬＣ３１は、通知されたネットワーク５の測位能力情報を保存手段３６−２によりキャッシュ３２−２に保存する（１３２２）。測位能力存在確認手段３３−２により、端末１のローミング先ネットワーク５の測位能力情報がキャッシュ３２−２に存在することが確認された場合、Ｈ−ＧＭＬＣ３１における処理１３２０、１３２２はスキップされる。
【００９７】
次にＨ−ＧＭＬＣ３１は、測位精度算出手段３７により、キャッシュ３２−１に保存されている端末１の最新の測位能力情報とキャッシュ３２−２に保存されている端末１のローミング先ネットワーク５の測位能力情報とから、期待される測位精度を決定し、更に、ＱｏＳ判定手段３８でＱｏＳ判定を行う（１３２３）。期待される測位精度の決定は、第１の実施の形態とほぼ同様に行われるが、本実施例では、各測位方式毎の期待される測位精度はＨ−ＧＭＬＣ３１に静的に設定された値でなく、端末１および端末１のローミング先ネットワーク５から動的に取得した値が用いられる。またＱｏＳ判定では、測位精度算出手段３７で得られた期待される測位精度とＬＣＳクライアント２からの測位要求で指定された測位精度とを比較し、測位要求で指定された測位精度を満足する測位が行えるかどうかを判定する。更にＱｏＳ判定では、測位要求のＱｏＳ条件で測位処理の間隔やイベントが指定されている場合には、ローミング先ネットワーク５の測位能力と比較し、要求されている測位処理の間隔やイベントで測位できるかどうかを判定する。そして、測位要求のＱｏＳ条件を満足する測位が行えないと判定した場合は、判定結果通知手段３９により、その判定結果を測位要求に対する応答としてＲ−ＧＭＬＣ２１に送信する（１３２４）。この応答はＲ−ＧＭＬＣ３１の応答転送手段２３によってＬＣＳクライアント２へ転送される（１３２５）。なお、得られる測位精度の限界を応答に含めることで、ＬＣＳクライアント２が測位要求を再送信する際にＱｏＳ中の測位精度をどの程度にすれば良いかが分るようになる。また、測位処理の間隔やイベントなどの他のＱｏＳ条件を満足できなかった場合に、それらに関してネットワーク５が提供可能なＱｏＳ条件を前記応答に含めることで、ＬＣＳクライアント２が測位要求を再送信する際にＱｏＳ中の測位間隔やイベントをどのように設定すれば良いかが分るようになる。他方、測位要求で指定されたＱｏＳ条件を満足する測位が行えると判定された場合、従来の測位処理手順に従って測位処理を実行する。つまり、Ｈ−ＧＭＬＣ３１は、測位要求手段４０により、端末１のローミング先のネットワーク５に対して測位要求を転送し、その応答としてネットワーク５から返される測位結果をＲ−ＧＭＬＣ２１に送信する。なお、第１の実施の形態について述べた各種の変更も本実施の形態に対して適用可能である。
【００９８】
【発明の第６の実施の形態】
図２１は、本発明の第６の実施の形態の移動通信システムの構成例を示すブロック図であり、図６の移動通信システムに対して、ＰＰＲ（Ｐｒｉｖａｃｙ  Ｐｒｏｆｉｌｅ  Ｒｅｇｉｓｔｅｒ）と呼ばれるデータベースが追加されている点が主な相違点である。図２１の移動通信システムは、図６の移動通信システムと同様に異なる３つの移動体通信事業者Ａ、Ｂ、Ｃのネットワーク１４１０、１４１１、１４１２で構成されている。なお、各移動体通信事業者のネットワーク１４１０、１４１１、１４１２内には図６と同様に本発明に関連するノードのみを記載している。ＬＣＳクライアント１４０１は移動体通信事業者ＡのネットワークにあるＲ−ＧＭＬＣ１４０２とＬｅインタフェースで接続されている。Ｒ−ＧＭＬＣ１４０２は移動体通信事業者ＢのネットワークにあるＨ−ＧＭＬＣ１４０３とＬｒインタフェースで、移動体通信事業者ＣのネットワークにあるＶＭＳＣ／ＳＧＳＮ１４０６とＬｇインタフェースでそれぞれ接続されている。Ｈ−ＧＭＬＣ１４０３は移動体通信事業者ＢのネットワークにあるＨＬＲ／ＨＳＳ１４０４とＬｈインタフェースで、ＰＰＲ１４１３とＬｐｐインタフェースで、移動体通信事業者ＡのネットワークにあるＲ−ＧＭＬＣ１４０２および移動体通信事業者ＣのネットワークにあるＶ−ＧＭＬＣ１４０５とＬｒインタフェースで、また移動体通信事業者ＣのネットワークにあるＶＭＳＣ／ＳＧＳＮ１４０６とＬｇインタフェースで、それぞれ接続されている。Ｖ−ＧＭＬＣ１４０５は移動体通信事業者ＢのネットワークにあるＨ−ＧＭＬＣ１４０３とＬｒインタフェースで、移動体通信事業者ＣのネットワークにあるＶＭＳＣ／ＳＧＳＮ１４０６とＬｇインタフェースで、それぞれ接続されている。ＶＭＳＣ／ＳＧＳＮ１４０６は移動体通信事業者ＢのネットワークにあるＰＰＲ１４１３とＬｇｐインタフェースで、ＨＬＲ／ＨＳＳ１４０４とＤインタフェースで、移動体通信事業者Ｃのネットワークにある無線制御装置（ＲＮＣ）１４０７とＩｕインタフェースで、それぞれ接続されている。ＲＮＣ１４０７は移動体通信事業者Ｃのネットワークにある無線基地局（Ｎｏｄｅ−Ｂ）とＩｕｂインタフェースで、それぞれ接続されている。端末（ＵＥ）は移動体通信事業者Ｃのネットワークにある無線基地局１４０８と無線インタフェースで接続されている。
【００９９】
図２２は本実施の形態の移動体通信システムにおける主要部分の内部構成例を示す。図１０に示した第１の実施の形態と相違するところは、図１０のＨＬＲ／ＨＳＳ５１が担う機能をＰＰＲ９１が担う点である。ＰＰＲ９１は、端末１および端末１の在圏するＲＡＮの測位能力の情報を、その更新時刻と共に記憶するメモリ９２と、Ｈ−ＧＭＬＣ３１の更新確認手段３３から端末１および端末１の在圏するＲＡＮの測位能力について更新時刻の問い合わせがあった場合に、メモリ９２を参照して更新時刻を更新確認手段３３に応答する更新確認応答手段９３と、Ｈ−ＧＭＬＣ３１の測位能力要求手段３５から端末１および端末１の在圏するＲＡＮの測位能力の情報が要求された場合に、メモリ９２を参照して、それらの測位能力をその更新時刻と共に応答する測位能力応答手段９４と、ネットワーク５のＶＭＳＣ／ＳＧＳＮ６１から端末１および端末１の在圏するＲＡＮの測位能力の情報が通知されてきたときに、それらの測位能力の情報を最新の情報としてその更新時刻（通知時刻）と共にメモリ５２に記憶する保存手段９５とを備える。その他、ＬＣＳクライアント２、Ｒ−ＧＭＬＣ２１、Ｈ−ＧＭＬＣ３１、ＶＭＳＣ／ＳＧＳＮ６１、ＲＮＣ７１および端末１の構成は図１０に示した第１の実施の形態と同じである。但し、ＶＭＳＣ／ＳＧＳＮ６１は、端末およびＲＡＮの測位能力の情報をＰＰＲ９１へ通知し、Ｈ−ＧＭＬＣ３１は、端末１およびＲＡＮの測位能力の情報をＰＰＲ９１から取得する。
【０１００】
図２３は本実施の形態の動作例を示す移動体通信システムの測位フローである。本発明の第１の実施の形態において、ＨＬＲ／ＨＳＳが担う機能をＰＰＲが担う場合の測位フローを示している。このフローには、３つの独立した処理が記載されている。１つ目は端末１および無線アクセスネットワーク（ＲＡＮ）が備える測位能力をＭＳＣ／ＳＧＳＮへ通知する処理である。２つ目は端末１およびＲＡＮが備える測位能力をＰＰＲ９１へ通知する処理である。３つ目は端末１およびＲＡＮの測位能力とＬＣＳクライアント２からのＱｏＳ要求を比較、判定する処理を含む、測位要求に関する処理である。
【０１０１】
まず、ＶＭＳＣ／ＳＧＳＮ６１へ端末１およびＲＡＮの測位能力を通知する手順について説明する。従来技術の項で示した通り、ネットワーク側からの端末呼び出し、あるいは端末からの発信などの場合に、ＲＲＣ接続処理が行われ、ＲＲＣ接続完了通知（ＲＲＣ  Ｃｏｎｎｅｃｔｉｏｎ  Ｓｅｔｕｐ  Ｃｏｍｐｌｅｔｅ）により端末１からＲＮＣ７１へ端末１が備える測位能力（ＵＥＰｏｓｉｔｉｏｎｉｎｇ  Ｃａｐａｂｉｌｉｔｙ）が通知される（１５０１）。その後、本実施の形態で追加される処理として、ＲＮＣ７２は端末１からの通知を受けると、端末・ＲＡＮ測位能力通知手段７２により、ＲＮＣ７２自身が備えている無線アクセスネットワークがサポートする測位能力と併せて端末１の測位能力の情報をＶＭＳＣ／ＳＧＳＮ６１へ通知するという処理が行われる（１５０２）。ＲＮＣ７１から端末１並びにＲＡＮの測位能力が通知されると、ＶＭＳＣ／ＳＧＳＮ６１は、その情報を保存手段６３によりメモリ６２に保持する（１５０３）。
【０１０２】
次に、ＰＰＲ９１へ端末１およびＲＡＮの測位能力を通知する手順について説明する。従来技術で示した通り、端末の移動に伴って、端末１の位置登録手段８２によって位置登録処理が実行される（１５０４）。ＶＭＳＣ／ＳＧＳＮ６１は、位置登録処理を行う際に、メモリ６２に記憶された端末１およびＲＡＮの測位能力情報をＰＰＲ９１へ通知する測位能力通知処理を行う（１５０５）。具体的には、ＶＭＳＣ／ＳＧＳＮ６１とＰＰＲ９１の間に新たに定義するサービスに、ＲＡＮの測位能力および端末１が備える測位能力の情報を記載することによって、ＶＭＳＣ／ＳＧＳＮ６１に保持されていた端末１およびＲＡＮがサポートする測位能力の情報がＰＰＲ９１へ通知される。通知を受けたＰＰＲ９１は、保存手段９５によって、端末１およびＲＡＮが備える測位能力と共に更新時刻（通知を受けた時刻）をメモリ９２に保存する（１５０６）。
【０１０３】
次に、ＱｏＳ要求を満足できるか否かを判定する処理を含む測位要求の処理について説明する。ＬＣＳクライアント２から測位要求（１５０７）を受けたＲ−ＧＭＬＣ２１は、要求転送手段２２によって、Ｈ−ＧＭＬＣ３１に対して測位要求を転送する（１５０８）。Ｈ−ＧＭＬＣ３１は、更新確認手段３３によって、端末１およびＲＡＮがサポートする測位能力の情報が更新されたかどうかを、Ｈ−ＧＭＬＣ３１とＰＰＲ９１の間に新たに定義されたサービスを使用してＰＰＲ９１に問い合わせる（１５０９）。ＰＰＲ９１は、更新確認応答手段９３により、同様にＨ−ＧＭＬＣ３１とＰＰＲ９１の間に新たに定義されたサービスを使用して、端末１及びＲＡＮがサポートする測位能力情報が更新された時刻をメモリ９２から参照して応答する（１５１０）。
【０１０４】
Ｈ−ＧＭＬＣ３１は、更新判定手段３４により、ＰＰＲ９１から取得した測位能力情報の更新時刻とキャッシュ３２に保持されている端末１及びＲＡＮの測位能力情報の更新時刻とを比較し、更新の有無を判定する（１５１１）。そして、キャッシュ３２に保持した情報の更新時刻が古い場合には、測位能力要求手段３５により、ＰＰＲ９１に対して端末１及びＲＡＮがサポートする測位能力を問い合わせる（１５１２）。ＰＰＲ９１は、測位能力応答手段９４により、端末１およびＲＡＮがサポートする測位能力とその情報が更新された時刻とをメモリ９２から読み出し、Ｈ−ＧＭＬＣ３１に通知する（１５１３）。Ｈ−ＧＭＬＣ３１は、保存手段３６により、取得した端末１およびＲＡＮがサポートする測位能力の情報とその情報が更新された時刻とをキャッシュ３２に保存する（１５１４）。キャッシュ３２に保持した情報の更新時刻が古くない場合、Ｈ−ＧＭＬＣ３１における処理１５１２、１５１４はスキップされる。
【０１０５】
次にＨ−ＧＭＬＣ３１は、測位精度算出手段３７により、キャッシュ３２に保存されている端末１とＲＡＮの最新の測位能力から、期待される測位精度を決定する（１５１５）。次にＨ−ＧＭＬＣ３１は、ＱｏＳ判定手段３８により、測位精度算出手段３７で得られた期待される測位精度とＬＣＳクライアント２からの測位要求で指定された測位精度とを比較し、ＱｏＳ判定を行う（１５１６）。そして、測位要求で指定された測位精度を満足する測位が行えないと判定した場合は、判定結果通知手段３９により、判定結果および得られる測位精度の限界を測位要求に対する応答としてＲ−ＧＭＬＣ２１に送信する（１５１７）。この応答はＲ−ＧＭＬＣ３１の応答転送手段２３によってＬＣＳクライアント２へ転送される（１５１８）。他方、測位要求で指定された測位精度を満足する測位が行えると判定された場合、Ｈ−ＧＭＬＣ３１は、従来の測位処理手順と同様に、測位要求手段４０により、端末１のローミング先のネットワーク５に対して測位要求を転送し、その応答としてネットワーク５から返される測位結果をＲ−ＧＭＬＣ２１に送信する。なお、第１の実施の形態について述べた各種の変更も本実施の形態に対して適用可能である。
【０１０６】
【発明の第７の実施の形態】
第６の実施の形態では、端末１および端末１が在圏するＲＡＮの測位能力の情報をＰＰＲ９１という１つのデータベースで保持したが、本実施の形態では、端末１の測位能力情報をＰＰＲ９１で保持し、端末１が在圏するＲＡＮの測位能力情報をＨＬＲ／ＨＳＳ５１で保持する。つまり、端末１および端末１の在圏するＲＡＮの測位能力を、端末１のホームネットワーク４に存在する複数のデータベースに分散して保持する。
【０１０７】
本実施の形態にかかる移動通信ネットワークの構成例を図２４を参照して説明する。なお、端末１、ＬＣＳクライアント２、Ｒ−ＧＭＬＣ２１の構成は第６の実施の形態の対応する要素と同じ構成なので、Ｈ−ＧＭＬＣ３１、ＨＬＲ／ＨＳＳ５１、ＶＭＳＣ／ＳＧＳＮ６１、ＲＮＣ７１、そしてＰＰＲ９１の構成について説明する。
【０１０８】
Ｈ−ＧＭＬＣ３１は、端末１の測位能力の情報を、その更新時刻と共に保持するキャッシュ３２−３と、Ｒ−ＧＭＬＣ２１からＬＣＳクライアント２が発した端末１の測位要求を受信したときに、端末１の最新の測位能力の情報がキャッシュ３２−３に保持されているかを調べるために、ＨＬＲ／ＨＳＳ５１に対して端末１の最新の測位能力の情報が更新された最新時刻を問い合せる更新確認手段３３−３と、この問い合わせに応じてＨＬＲ／ＨＳＳ５１から返される最新更新時刻とキャッシュ３２−３に保存されている端末１の測位能力情報の更新時刻とを比較してキャッシュ内容の有効性を判定する更新判定手段３４−３と、キャッシュ内容が古い場合に端末１の最新の測位能力の情報をＨＬＲ／ＨＳＳ５１に要求する測位能力要求手段３５−３と、この要求に応じてＨＬＲ／ＨＳＳ５１から返される端末１の測位能力情報をキャッシュ３２−３に保存する保存手段３６−３と、端末１が在圏するＲＡＮの測位能力の情報を、その更新時刻と共に保持するキャッシュ３２−４と、Ｒ−ＧＭＬＣ２１からＬＣＳクライアント２が発した端末１の測位要求を受信したときに、端末１が在圏するＲＡＮの最新の測位能力の情報がキャッシュ３２−４に保持されているかを調べるために、ＰＰＲ９１に対して端末１が在圏するＲＡＮの最新の測位能力の情報が更新された最新時刻を問い合せる更新確認手段３３−４と、この問い合わせに応じてＰＰＲ９１から返される最新更新時刻とキャッシュ３２−４に保存されている端末１が在圏するＲＡＮの測位能力情報の更新時刻とを比較してキャッシュ内容の有効性を判定する更新判定手段３４−４と、キャッシュ内容が古い場合に端末１が在圏するＲＡＮの最新の測位能力の情報をＰＰＲ９１に要求する測位能力要求手段３５−４と、この要求に応じてＰＰＲ９１から返される端末１が在圏するＲＡＮの測位能力情報をキャッシュ３２−４に保存する保存手段３６−４と、端末１および端末１が在圏するＲＡＮの最新の測位能力の情報に基づいて期待される測位精度を求める測位精度算出手段３７と、求められた測位精度と測位要求のＱｏＳ条件で指定された測位精度とを比較し、測位要求で指定された測位精度を満足する測位が行えるかどうかを判定するＱｏＳ判定手段３８と、測位要求で指定された測位精度を満足する測位が行えないと判定された場合に、判定結果および得られる測位精度の限界を示すメッセージを測位要求の応答としてＲ−ＧＭＬＣ２１に送信する判定結果通知手段３９と、測位要求で指定された測位精度を満足する測位が行えると判定された場合に、端末１が接続されているネットワーク５に対して測位要求を転送し、その応答としてネットワーク５から返される測位結果をＲ−ＧＭＬＣ２１に送信する測位要求手段４０とを備える。
【０１０９】
ＨＬＲ／ＨＳＳ５１は、端末１が在圏するＲＡＮの測位能力の情報を、その更新時刻と共に記憶するメモリ５６と、Ｈ−ＧＭＬＣ３１の更新確認手段３３−３から端末１が在圏するＲＡＮの測位能力について更新時刻の問い合わせがあった場合に、メモリ５６を参照して更新時刻を更新確認手段３３−３に応答する更新確認応答手段５３と、Ｈ−ＧＭＬＣ３１の測位能力要求手段３５−３から端末１が在圏するＲＡＮの測位能力の情報が要求された場合に、メモリ５６を参照して、それらの測位能力をその更新時刻と共に応答する測位能力応答手段５４と、ネットワーク５のＶＭＳＣ／ＳＧＳＮ６１から端末１が在圏するＲＡＮの測位能力の情報が送られてきたときに、その測位能力の情報を最新の情報としてその更新時刻（通知時刻）と共にメモリ５６に記憶する保存手段５５とを備える。
【０１１０】
ＰＰＲ９１は、端末１の測位能力の情報を、その更新時刻と共に記憶するメモリ９６と、Ｈ−ＧＭＬＣ３１の更新確認手段３３−４から端末１の測位能力について更新時刻の問い合わせがあった場合に、メモリ９６を参照して更新時刻を更新確認手段３３−４に応答する更新確認応答手段９３と、Ｈ−ＧＭＬＣ３１の測位能力要求手段３５−４から端末１の測位能力情報が要求された場合に、メモリ９６を参照して、それらの測位能力をその更新時刻と共に応答する測位能力応答手段９４と、ネットワーク５のＶＭＳＣ／ＳＧＳＮ６１から端末１の測位能力の情報が通知されてきたときに、それらの測位能力の情報を最新の情報としてその更新時刻（通知時刻）と共にメモリ９６に記憶する保存手段９５とを備える。
【０１１１】
ＶＭＳＣ／ＳＧＳＮ６１は、端末１および端末１の在圏するＲＡＮの測位能力の情報を記憶するメモリ６２と、ＲＮＣ７１から端末１および端末１の在圏するＲＡＮの測位能力の情報が送られてきたときにそれらをメモリ６２に記憶する保存手段６３と、端末１から位置登録要求が出されたときに、端末１が在圏するＲＡＮの測位能力の情報をメモリ６２から読み出してＨＬＲ／ＨＳＳ５１に送信する通知手段６４−１と、同じく端末１から位置登録要求が出されたときに、端末１の測位能力の情報をメモリ６２から読み出してＰＰＲ９１に送信する通知手段６４−２とを備える。
【０１１２】
図２５は本実施の形態の動作例を示す移動体通信システムの測位フローであり、端末の測位能力はＰＰＲ９１が保持し、ＲＡＮ（無線アクセスネットワーク）の測位能力はＨＬＲ／ＨＳＳ５１が保持する場合のフローを示す。３つの独立した処理が記載されている。１つ目は端末１およびＲＡＮが備える測位能力をＶＭＳＣ／ＳＧＳＮ６１へ通知する処理である。２つ目は端末１およびＲＡＮが備える測位能力をＰＰＲ９１、ＨＬＲ／ＨＳＳ５１それぞれへ通知する処理である。３つ目は端末１およびＲＡＮの測位能力とＬＣＳクライアント２からのＱｏＳ要求を比較、判定する処理を含む、測位要求に対する処理である。
【０１１３】
まず、ＶＭＳＣ／ＳＧＳＮ６１へ端末１およびＲＡＮの測位能力を通知する手順について説明する。従来技術の項で示した通り、ネットワーク側からの端末呼び出し、あるいは端末からの発信などの場合に、ＲＲＣ接続処理が行われ、ＲＲＣ接続完了通知（ＲＲＣ  Ｃｏｎｎｅｃｔｉｏｎ  Ｓｅｔｕｐ  Ｃｏｍｐｌｅｔｅ）により端末１からＲＮＣ７１へ端末１が備える測位能力（ＵＥＰｏｓｉｔｉｏｎｉｎｇ  Ｃａｐａｂｉｌｉｔｙ）が通知される（１６０１）。その後、本実施の形態で追加される処理として、ＲＮＣ７２は端末１からの通知を受けると、端末・ＲＡＮ測位能力通知手段７２により、ＲＮＣ７２自身が備えている無線アクセスネットワークがサポートする測位能力と併せて、ＶＭＳＣ／ＳＧＳＮ６１へ端末１およびＲＡＮの測位能力を通知するという処理が行われる（１６０２）。ＲＮＣ７１から端末１並びにＲＡＮの測位能力が通知されると、ＶＭＳＣ／ＳＧＳＮ６１は、その情報を保存手段６３によりメモリ６２に保持する（１６０３）。
【０１１４】
次に、ＰＰＲ９１へ端末の、ＨＬＲ／ＨＳＳ５１へ端末１が在圏するＲＡＮの測位能力を通知する手順について説明する。従来技術の項で説明したように、端末の移動に伴って、端末１の位置登録手段８２によって位置登録処理が実行される（１６０４）。ＶＭＳＣ／ＳＧＳＮ６１は、位置登録処理を行う際に、メモリ６２に記憶された端末１の測位能力情報をＰＰＲ９１へ通知する端末測位能力通知処理（１６０７）と、メモリ６２に記憶された端末１の在圏するＲＡＮの測位能力情報をＨＬＲ／ＨＳＳ５１へ通知するＲＡＮ測位能力通知処理（１６０５）を行う。具体的には、ＶＭＳＣ／ＳＧＳＮ６１とＰＰＲ９１の間に新たに定義するサービスに、端末１が備える測位能力の情報を記載することによって、ＶＭＳＣ／ＳＧＳＮ６１に保持されていた端末１の測位能力情報がＰＰＲ９１へ通知される。通知を受けたＰＰＲ９１は、保存手段９５によって、端末１の測位能力情報をその更新時刻（通知を受けた時刻）と共にメモリ９６に保存する（１６０８）。また、ＭＡＰ−ＵＰＤＡＴＥ−ＬＯＣＡＴＩＯＮサービスにＲＡＮの測位能力情報を追加することによって、ＶＭＳＣ／ＳＧＳＮ６１に保持されたＲＡＮの測位能力情報がＨＬＲ／ＨＳＳ５１へ通知される。なお、ＭＡＰ−ＵＰＤＡＴＥ−ＬＯＣＡＴＩＯＮサービスを使用せずに新たなサービスを追加することによって、ＶＭＳＣ／ＳＧＳＮ６１に保持されたＲＡＮの測位能力情報をＨＬＲ／ＨＳＳ５１へ通知することも可能である。通知を受けたＨＬＲ／ＨＳＳ５１は、保存手段５５によりＲＡＮの測位能力情報をメモリ５６にその更新時刻と共に保持する。
【０１１５】
次に、ＱｏＳ要求を満足できるか否かを判定する処理を含む測位要求の処理について説明する。ＬＣＳクライアント２から測位要求（１６０９）を受けたＲ−ＧＭＬＣ２１は、要求転送手段２２によって、Ｈ−ＧＭＬＣ３１に対して測位要求を転送する（１６１０）。Ｈ−ＧＭＬＣ３１は、更新確認手段３３−３によって、端末１が在圏するＲＡＮの測位能力情報が更新されたかどうかをＳｅｎｄ−Ｒｏｕｔｉｎｇ−Ｉｎｆｏ−ｆｏｒ−ＬＣＳサービスを使用してＨＬＲ／ＨＳＳ５１に問い合わせる（１６１１）。ＨＬＲ／ＨＳＳ５１は、更新確認応答手段５３により、Ｓｅｎｄ−Ｒｏｕｔｉｎｇ−Ｉｎｆｏ−ｆｏｒ−ＬＣＳサービスを使用して端末１が在圏するＲＡＮの測位能力情報が更新された時刻をメモリ５６から参照して応答する（１６１２）。なお、ＨＬＲ／ＨＳＳ５１に対する問合せは、Ｓｅｎｄ−Ｒｏｕｔｉｎｇ−Ｉｎｆｏ−ｆｏｒ−ＬＣＳサービスを使用せずに、新たなサービスを追加することによって、端末１が在圏するＲＡＮの測位能力情報の更新時刻を確認することも可能である。
【０１１６】
Ｈ−ＧＭＬＣ３１は、更新判定手段３４−３により、ＨＬＲ／ＨＳＳ５１から取得した端末１が在圏するＲＡＮの測位能力情報の更新時刻とキャッシュ３２−３に保持されている端末１が在圏するＲＡＮの測位能力情報の更新時刻とを比較し、更新の有無を判定する（１６１３）。そして、キャッシュ３２−３に保持した情報の更新時刻が古い場合には、測位能力要求手段３５−３により、ＨＬＲ／ＨＳＳ５１に対して端末１が在圏するＲＡＮの測位能力を問い合わせる（１６１４）。ＨＬＲ／ＨＳＳ５１は、測位能力応答手段５４により、端末１が在圏するＲＡＮの測位能力情報とその情報が更新された時刻とをメモリ５６から読み出し、Ｈ−ＧＭＬＣ３１に通知する（１６１５）。Ｈ−ＧＭＬＣ３１は、保存手段３６−３により、取得した端末１が在圏するＲＡＮの測位能力情報とその情報が更新された時刻とをキャッシュ３２−３に保存する（１６１６）。キャッシュ３２−３に保持した情報の更新時刻が古くない場合、Ｈ−ＧＭＬＣ３１における処理１６１４、１６１６はスキップされる。
【０１１７】
次にＨ−ＧＭＬＣ３１は、更新確認手段３３−４によって、端末１の測位能力情報が更新されたかどうかを、Ｈ−ＧＭＬＣ３１とＰＰＲ９１の間に新たに定義されたサービスを使用してＰＰＲ９１に問い合わせる（１６１７）。ＰＰＲ９１は、更新確認応答手段９３により、同様にＨ−ＧＭＬＣ３１とＰＰＲ９１の間に新たに定義されたサービスを使用して、端末１の測位能力情報が更新された時刻をメモリ９６から参照して応答する（１６１８）。
【０１１８】
Ｈ−ＧＭＬＣ３１は、更新判定手段３４−４により、ＰＰＲ９１から取得した端末１の測位能力情報の更新時刻とキャッシュ３２−４に保持されている端末１の測位能力情報の更新時刻とを比較し、更新の有無を判定する（１６１９）。そして、キャッシュ３２−４に保持した情報の更新時刻が古い場合には、測位能力要求手段３５−４により、ＰＰＲ９１に対して端末１の測位能力情報を問い合わせる（１６２０）。ＰＰＲ９１は、測位能力応答手段９４により、端末１の測位能力情報とその情報が更新された時刻とをメモリ９６から読み出し、Ｈ−ＧＭＬＣ３１に通知する（１６２１）。Ｈ−ＧＭＬＣ３１は、保存手段３６−４により、取得した端末１の測位能力情報とその情報が更新された時刻とをキャッシュ３２−４に保存する（１６２２）。キャッシュ３２−４に保持した情報の更新時刻が古くない場合、Ｈ−ＧＭＬＣ３１における処理１６２０、１６２２はスキップされる。
【０１１９】
次にＨ−ＧＭＬＣ３１は、測位精度算出手段３７により、キャッシュ３２−４、３２−３に保存されている端末１とＲＡＮの最新の測位能力情報から、期待される測位精度を決定する（１６２３）。次にＨ−ＧＭＬＣ３１は、ＱｏＳ判定手段３８により、測位精度算出手段３７で得られた期待される測位精度とＬＣＳクライアント２からの測位要求で指定された測位精度とを比較し、ＱｏＳ判定を行う（１６２４）。そして、測位要求で指定された測位精度を満足する測位が行えないと判定した場合は、判定結果通知手段３９により、判定結果および得られる測位精度の限界を測位要求に対する応答としてＲ−ＧＭＬＣ２１に送信する（１６２５）。この応答はＲ−ＧＭＬＣ３１の応答転送手段２３によってＬＣＳクライアント２へ転送される（１６２６）。他方、測位要求で指定された測位精度を満足する測位が行えると判定された場合、Ｈ−ＧＭＬＣ３１は、従来の測位処理手順と同様に、測位要求手段４０により、端末１のローミング先のネットワーク５に対して測位要求を転送し、その応答としてネットワーク５から返される測位結果をＲ−ＧＭＬＣ２１に送信する。なお、第１の実施の形態について述べた各種の変更も本実施の形態に対して適用可能である。
【０１２０】
【発明の第８の実施の形態】
本実施の形態にかかる移動通信ネットワークの構成例を図２６を参照して説明する。図２６において、端末１は測位対象となる携帯電話機などの移動体端末、ＬＣＳクライアント２は端末１の測位を要求するパーソナルコンピュータなどの情報処理装置、ネットワーク３は移動体通信事業者Ａのネットワーク、ネットワーク４は移動体通信事業者Ｂのネットワーク、５は移動体通信事業者Ｃのネットワークである。端末１は移動体通信事業者Ｂと契約している加入者であり、図２６では移動体通信事業者Ｃのネットワークにローミングしている。
【０１２１】
ＬＣＳクライアント２は、ＱｏＳ条件として少なくとも測位精度を指定した測位要求をネットワーク３のＲ−ＧＭＬＣ２１に送信する送信手段１１と、送信した測位要求に対する応答をＲ−ＧＭＬＣ２１から受信する受信手段１２とを備える。
【０１２２】
Ｒ−ＧＭＬＣ２１は、ＬＣＳクライアント２との間で予め取り決めた測位精度を判定する基準値（存在確率）を保持するメモリ４Ｃと、ＬＣＳクライアント２から受信した測位精度を指定した測位要求に対して、ＬＣＳクライアント２との間で予め取り決めた存在確率値をメモリ４Ｃから読み出して付加し、この存在確率付きの測位要求を測位対象である端末１のホームネットワークであるネットワーク４のＨ−ＧＭＬＣ３１に転送する要求転送手段２２と、この転送した測位要求に対する応答をＨ−ＧＭＬＣ３１から受け取ると、ＬＣＳクライアント２へ転送する応答転送手段２３とを備える。
【０１２３】
Ｈ−ＧＭＬＣ３１は、Ｒ−ＧＭＬＣ２１から転送されてきた端末１の測位要求を、端末１のローミング先のネットワーク５のＶ−ＧＭＬＣ８４に転送する測位要求手段４１と、この転送した測位要求に対する応答をＶ−ＧＭＬＣ８４から受け取ると、Ｒ−ＧＭＬＣ２１へ転送する測位結果転送手段４２とを備える。Ｖ−ＧＭＬＣ８４は、Ｈ−ＧＭＬＣ３１から転送されてきた端末１の測位要求を、ＶＭＳＣ／ＳＧＳＮ６１に転送する測位要求手段４３と、この転送した測位要求に対する応答をＶＭＳＣ／ＳＧＳＮ６１から受け取ると、Ｈ−ＧＭＬＣ３１へ転送する測位結果転送手段４４とを備える。ＶＭＳＣ／ＳＧＳＮ６１は、Ｖ−ＧＭＬＣ８４から端末１の測位要求が転送されてきたとき、端末１との間にコネクションを設定するコネクション設定手段４５と、転送されてきた端末１の測位要求を端末１が在圏するＲＡＮのＲＮＣ７１に転送する測位要求手段４６と、この転送した測位要求に対する応答をＲＮＣ７１から受け取ると、Ｖ−ＧＭＬＣ８４へ転送する測位結果通知手段４７とを備える。
【０１２４】
ＲＮＣ７１は、端末１との間で端末１の測位処理を実行する測位処理手段４８と、実行された測位処理の結果に基づいて、測位要求で要求された測位精度を満足する存在確率を算出する存在確率算出手段４９と、実行された測位処理の結果に基づいて、測位要求に付加された存在確率を満足する測位精度を算出する測位精度算出手段４Ａと、実行された測位処理によって求められた端末１の位置情報、算出された存在確率および測位精度を含む測位結果をＶＭＳＣ／ＳＧＳＮ６１に通知する測位結果通知手段４Ｂとを備える。
【０１２５】
図２７は本実施の形態の動作を説明する移動体通信システムにおける測位フローである。ＬＣＳクライアント２に接続されたＲ−ＧＭＬＣ２１は、要求する測位精度付きの測位要求をＬＣＳクライアント２から受け付けると（１７０１）、要求転送手段２２により、ＬＣＳクライアント２との間で予め取り決めた存在確率値をメモリ４Ｃから読み出して測位要求に追加し（１７０２）、Ｈ−ＧＭＬＣ３１へ測位要求を転送する（１７０３）。Ｈ−ＧＭＬＣ３１は、この測位要求を測位要求手段４１により、端末１が在圏するネットワーク５のＶ−ＧＭＬＣ８４へ転送し（１７０４）、Ｖ−ＧＭＬＣ８４は測位要求手段４３によりＶＭＳＣ／ＳＧＳＮ６１へ転送する（１７０５）。さらにＶＭＳＣ／ＳＧＳＮ６１は、コネクション設定手段４５により端末１との間にコネクションの設定等を行い（１７０６）、測位要求手段４６により、ＲＮＣ７１に対して存在確率付きの測位要求を転送する（１７０７）。
【０１２６】
ＲＮＣ７１は、まず測位処理手段４８により、端末１との間で測位処理を実行する（１７０８）。次に、存在確率算出手段４９により、要求された精度を満足する存在確率を算出し（１７０８）、測位精度算出手段４Ａにより、要求された存在確率を満足する測位精度を算出する（１７１０）。これらの算出方法については後述する。そして、測定結果通知手段４Ｂにより、端末１の位置情報と前記算出された存在確率および測位精度を含む測位結果をＶＭＳＣ／ＳＧＳＮ６１に通知する（１７１１）。この測位結果は、Ｖ−ＧＭＬＣ８４の測位結果通知手段４４、Ｈ−ＧＭＬＣ３１の測位結果通知手段４２、Ｒ−ＧＭＬＣ２１の応答転送手段２３を経由して、ＬＣＳクライアント２に通知される（１７１２〜１７１５）。
【０１２７】
ここで、移動体通信事業者Ｃのネットワーク５にＶ−ＧＭＬＣ８４が存在しない場合、あるいは移動体通信事業者ＢとＣの間での予めの取り決めにおいて、Ｈ−ＧＭＬＣ３１は測位要求をＶＭＳＣ／ＳＧＳＮ６１へ転送する場合もある。この場合の処理フローを図２８に示す。図２８において、処理１８０４がＨ−ＧＭＬＣ３１からＶＭＳＣ／ＳＧＳＮ６１へ測位要求を転送する処理、処理１８１１がＶＭＳＣ／ＳＧＳＮ６１からＨ−ＧＭＬＣ３１へ測位結果を転送する処理であり、残りの処理１８０１〜１８０３、１８０５〜１８１０、１８１２〜１８１３は、図２７の対応する処理と同じである。
【０１２８】
なお、図２７、図２８の測位フローでは転送先のノードの宛先解決などの処理は、従来技術の通りであるため記載を省略している。
【０１２９】
次に存在確率算出手段４９によって、要求された精度を満足する存在確率を算出する方法と、測位精度算出手段４Ａによって、要求された存在確率を満足する測位精度を算出する方法の例について説明する。
【０１３０】
ＲＮＣ７１で測位処理した結果得られた測位結果を元に、測位精度、存在確率を算出する例を図２９を用いて説明する。端末１への測位は、端末１の移動速度に比べて十分短い時間に、複数回の処理が実行される。その結果、図２９（Ａ）の上側に示す測定結果の分布に示すように、ある領域内（図では円）に複数の測位結果が得られる。円の中心を通る線上の測定結果は、図２９（Ａ）の下側に示す様に確率分布曲線（例えば正規分布曲線）によって近似することができる。
【０１３１】
例えば、正規分布曲線はｙ＝（１／（ｓｑｒｔ（２＊π）＊σ））  ＊  ｅｘｐ（  −  ｘ＾２／（２  ＊  σ＾２））で表現される。ここで、σは標準偏差を表す。また、＊は乗算を表す記号、＾はべき乗を表す記号である。測位結果からσを決定することにより近似式が算出できる。
【０１３２】
図２９（Ａ）において中心からのずれａは精度（Ａｃｃｕｒａｃｙ）、全体の面積に対する中心から±ａの範囲の面積の比率は存在確率（Ｃｏｎｆｉｄｅｎｃｅ）を表している。従って、要求された測位精度がａとした場合に存在確率を算出するには、確率分布曲線を±ａの範囲で積分処理することにより存在確率が算出される。ｘの値を変化させて積分処理することより、中心からの偏差（精度）をパラメータとした存在確率を表す図２９（Ｂ）に示すような曲線が得られる。この曲線から要求される存在確率Ｐｒが与えられると精度Ｘａが算出される。
【０１３３】
なお、本実施例では測位結果の分布形状を円で表現したが、本発明はこれに限定するものではない。分布形状としては楕円やポリゴンも考えられる。また、本実施例では確率分布曲線として正規分布を用いたが、本発明はこれに限定されるものではない。確率分布曲線としては２項分布曲線やポアソン分布なども考えられる。なお、第１の実施の形態について述べた各種の変更も本実施の形態に対して適用可能である。
【０１３４】
【発明の第９の実施の形態】
本実施の形態にかかる移動通信ネットワークの構成例を図３０を参照して説明する。本実施の形態の移動通信ネットワークは、図２６に示した第８の実施の形態の移動通信ネットワークと比べて、Ｈ−ＧＭＬＣ３１に、予め端末１のユーザとの間で取り決めた測位精度を判定する基準値（存在確率）を記憶すると共に、測位要求に含まれる判定の基準値（存在確率）が前記ユーザとの間で予め取り決めた基準値と異なる場合の対処方法に関する情報を記憶するメモリ４Ｄと、測位要求に含まれる存在確率と、メモリ４Ｅに保持されている存在確率とを比較し、異なっている場合には、メモリ４Ｅに記憶された対処方法に従って測位要求の存在確率の値を修正する修正手段７Ｅとが追加されている点と、Ｒ−ＧＭＬＣ２１に、測位結果に含まれる存在確率とＬＣＳクライアント２との間で取り決めた存在確率の値とを比較し、値が異なっている場合には測位結果に比較結果を追加して、応答転送手段２３経由でＬＣＳクライアント２に測位結果を通知する比較手段４Ｆが追加されている点で相違する。
【０１３５】
図３１は本実施の形態の動作を説明する移動体通信システムにおける測位フローである。ＬＣＳクライアント２に接続されたＲ−ＧＭＬＣ２１は、要求する測位精度付きの測位要求をＬＣＳクライアント２から受け付けると（１９０１）、要求転送手段２２により、ＬＣＳクライアント２との間で予め取り決めた存在確率値をメモリ４Ｃから読み出して測位要求に追加し（１９０２）、Ｈ−ＧＭＬＣ３１へ測位要求を転送する（１９０３）。Ｈ−ＧＭＬＣ３１は、この測位要求を受け取ると、修正手段４により、測位要求に含まれる存在確率とメモリ４Ｄに記憶された予め端末１のユーザとの間で取り決めた測位精度の存在確率とを比較し、異なっている場合には対処方法に従って測位要求の存在確率の値を修正する（１９０４）。対処方法の例としては、ＬＣＳクライアント２が要求する存在確率よりも端末１のユーザが希望する存在確率の方が大きい場合には、ＬＣＳサービスを受けるユーザの満足度を高めるためにユーザの指定する存在確率を使用する、ということが考えられる。
【０１３６】
次に、Ｈ−ＧＭＬＣ３１は、必要に応じて存在確率の値が修正された測位要求を、測位要求手段４１により、端末１が在圏するネットワーク５のＶ−ＧＭＬＣ８４へ転送し（１９０５）、Ｖ−ＧＭＬＣ８４は測位要求手段４３によりＶＭＳＣ／ＳＧＳＮ６１へ転送する（１９０６）。さらにＶＭＳＣ／ＳＧＳＮ６１は、コネクション設定手段４５により端末１との間にコネクションの設定等を行い（１９０７）、測位要求手段４６により、ＲＮＣ７１に対して存在確率付きの測位要求を転送する（１９０８）。ＲＮＣ７１は、測位処理手段４８により、端末１との間で測位処理を実行し（１９０９）、次に存在確率算出手段４９により、要求された精度を満足する存在確率を算出し（１９１０）、次に測位精度算出手段４Ａにより、要求された存在確率を満足する測位精度を算出する（１９１１）。そして、測定結果通知手段４Ｂにより、端末１の位置情報と前記算出された存在確率および測位精度を含む測位結果をＶＭＳＣ／ＳＧＳＮ６１に通知する（１９１２）。この測位結果は、Ｖ−ＧＭＬＣ８４の測位結果通知手段４４、Ｈ−ＧＭＬＣ３１の測位結果通知手段４２を経由して、Ｒ−ＧＭＬＣ２１に転送される（１９１４〜１９１５）。
【０１３７】
Ｒ−ＧＭＬＣ２１は、比較手段４Ｆにより、測位結果に含まれる存在確率と、転送要求手段２２の転送時に測位要求に付加した存在確率（ＬＣＳクライアント２との間で予め取り決めた存在確率の値）とを比較し、値が異なっている場合には、測位結果に比較結果を追加する（１９１６）。そして、応答転送手段２３により、ＬＣＳクライアント２に測位結果を通知する（１９１７）。
【０１３８】
なお、測位フローでは転送先のノードの宛先解決などの処理は、従来技術の通りであるため記載を省略している。なお、第１の実施の形態について述べた各種の変更も本実施の形態に対して適用可能である。
【０１３９】
【発明の第９の実施の形態】
図２６の第８の実施の形態では、ＬＣＳクライアント２が測位精度を指定した測位要求をＲ−ＧＭＬＣ２１に送信すると、Ｒ−ＧＭＬＣ２１がＬＣＳクライアント２との間で予め取り決めた存在確率を付与したが、本実施の形態では、ＬＣＳクライアント２自身が測位精度に加えて存在確率を付けた測位要求を自ら送信するようにしている。
【０１４０】
本実施の形態にかかる移動通信ネットワークの構成例を図３２を参照して説明する。本実施の形態の移動通信ネットワークは、図２６に示した第８の実施の形態の移動通信ネットワークにおけるＲ−ＧＭＬＣ２１からメモリ４Ｃを省略した構成に相当する。
【０１４１】
図３３は本実施の形態の動作を説明する移動体通信システムにおける測位フローである。ＬＣＳクライアント２に接続されたＲ−ＧＭＬＣ２１は、要求する測位精度および存在確率付きの測位要求をＬＣＳクライアント２から受け付けると（２００１）、要求転送手段２２により、Ｈ−ＧＭＬＣ３１へ測位要求を転送する（２００２）。Ｈ−ＧＭＬＣ３１は、更にこの測位要求を測位要求手段４１により、端末１が在圏するネットワーク５のＶ−ＧＭＬＣ８４へ転送し（２００３）、Ｖ−ＧＭＬＣ８４は測位要求手段４３によりＶＭＳＣ／ＳＧＳＮ６１へ転送する（２００４）。さらにＶＭＳＣ／ＳＧＳＮ６１は、コネクション設定手段４５により端末１との間にコネクションの設定等を行い（２００５）、測位要求手段４６により、ＲＮＣ７１に対して測位精度および存在確率付きの測位要求を転送する（２００６）。ＲＮＣ７１は、測位処理手段４８により、端末１との間で測位処理を実行し（２００７）、次に存在確率算出手段４９により、要求された精度を満足する存在確率を算出し（２００８）、次に測位精度算出手段４Ａにより、要求された存在確率を満足する測位精度を算出する（２００９）。そして、測定結果通知手段４Ｂにより、端末１の位置情報と前記算出された存在確率および測位精度を含む測位結果をＶＭＳＣ／ＳＧＳＮ６１に通知する（２０１０）。この測位結果は、Ｖ−ＧＭＬＣ８４の測位結果通知手段４４、Ｈ−ＧＭＬＣ３１の測位結果通知手段４２、Ｒ−ＧＭＬＣ２１の応答転送手段２３を経由して、ＬＣＳクライアント２に通知される（２０１１〜２０１４）。
【０１４２】
なお、測位フローでは転送先のノードの宛先解決などの処理は、従来技術の通りであるため記載を省略している。なお、第１の実施の形態について述べた各種の変更も本実施の形態に対して適用可能である。
【発明のその他の実施の形態】
【０１４３】
以上、本発明の幾つかの実施の形態を説明したが、本発明は以上の実施の形態にのみ限定されず、その他各種の付加変更が可能である。また、ＬＣＳクライアント、Ｒ−ＧＭＬＣ、Ｈ−ＧＭＬＣ、Ｖ−ＧＭＬＣ、ＶＭＳＣ／ＳＧＳＮ、ＲＮＣ、ＨＬＲ／ＨＳＳ、ＰＰＲは、その有する機能をハードウェア的に実現することは勿論、コンピュータとプログラムとで実現することができる。プログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した各実施の形態におけるＬＣＳクライアント、Ｒ−ＧＭＬＣ、Ｈ−ＧＭＬＣ、Ｖ−ＧＭＬＣ、ＶＭＳＣ／ＳＧＳＮ、ＲＮＣ、ＨＬＲ／ＨＳＳ、ＰＰＲとして機能させる。
【０１４４】
【発明の効果】
以上詳細に説明したとおり、本発明の移動通信システムにおける測位システム並びに測位方法によれば、次のような効果が得られる。
【０１４５】
第１の効果は、ＧＭＬＣが端末の備える測位能力と無線アクセスネットワークの備える測位能力との少なくとも一方または双方を元に、期待される測定精度を算出し、算出した期待される測位精度とＬＣＳクライアントから要求される測位精度を比較し、要求される測位精度が満足できない場合には、測位要求を受け付けないことにより、無駄な測位のトラヒックや無線アクセスネットワークにおける測位処理を削減することができる。
【０１４６】
第２の効果は、測位処理を実行する無線アクセスネットワークに通知する測位要求に測位精度の判定基準となる存在確率を含め、無線アクセスネットワークでは存在確率を満足する測位精度を算出し、算出した結果をＬＣＳクライアントに通知することにより、ＬＣＳクライアントが所望の存在確率を満足する測位精度を取得するための測位回数を１回にすることができる。
【図面の簡単な説明】
【図１】移動体通信ネットワークを使用した測位システムの構成例を示す図である。
【図２】端末の測位処理フローの例（クライアント起動によるフロー）を示す図である。
【図３】クライアントとサーバ間の測位要求フローの例を示す図である。
【図４】端末、ＲＮＣ、ＭＳＣ／ＳＧＳＮの制御プレーンのプロトコルスタックの構成例を示す図である。
【図５】端末の測位能力がＲＮＣに通知されるフローを示す図である。
【図６】複数の移動体通信ネットワークが存在する場合の測位システムの構成例を示す図である。
【図７】複数の移動体通信ネットワークが存在する場合の測位処理フロー（Ｈ−ＧＭＬＣからＶ−ＧＭＬＣへ測位要求を転送）を示す図である。
【図８】複数の移動体通信ネットワークが存在する場合の測位処理フロー（Ｈ−ＧＭＬＣからＭＳＣ／ＳＧＳＮへ測位要求を転送）を示す図である。
【図９】位置登録の処理フローを示す図である。
【図１０】本発明の第１の実施の形態の移動体通信システムの構成を示す図である。
【図１１】本発明の第１の実施の形態における測位処理フローを示す図である。
【図１２】端末、ＲＡＮの測位能力から期待される測位精度を導出するためのテーブルを示す図である。
【図１３】本発明の第２の実施の形態の移動体通信システムの構成を示す図である。
【図１４】本発明の第２の実施の形態における測位処理フローを示す図である。
【図１５】本発明の第３の実施の形態の移動体通信システムの構成を示す図である。
【図１６】本発明の第３の実施の形態における測位処理フローを示す図である。
【図１７】本発明の第４の実施の形態の移動体通信システムの構成を示す図である。
【図１８】本発明の第４の実施の形態における測位処理フローを示す図である。
【図１９】本発明の第５の実施の形態の移動体通信システムの構成を示す図である。
【図２０】本発明の第５の実施の形態における測位処理フローを示す図である。
【図２１】本発明の第６の実施の形態の移動体通信システムの構成を示す図である。
【図２２】本発明の第６の実施の形態の移動体通信システムの構成を示す図である。
【図２３】本発明の第６の実施の形態における測位処理フローを示す図である。
【図２４】本発明の第７の実施の形態の移動体通信システムの構成を示す図である。
【図２５】本発明の第７の実施の形態における測位処理フローを示す図である。
【図２６】本発明の第８の実施の形態の移動体通信システムの構成を示す図である。
【図２７】本発明の第８の実施の形態における測位処理フローを示す図である。
【図２８】本発明の第８の実施の形態における測位処理フローの別の例を示す図である。
【図２９】要求された測位精度を満足する存在確率、要求された存在確率を満足する測位精度を算出する方法の例を示す図である。
【図３０】本発明の第９の実施の形態の移動体通信システムの構成を示す図である。
【図３１】本発明の第９の実施の形態における測位処理フローを示す図である。
【図３２】本発明の第１０の実施の形態の移動体通信システムの構成を示す図である。
【図３３】本発明の第１０の実施の形態における測位処理フローを示す図である。
【符号の説明】
１．端末  ＵＥ
２．ＬＣＳクライアント
３．移動体通信事業者Ａのネットワーク
４．移動体通信事業者Ｂのネットワーク
５．移動体通信事業者Ｃのネットワーク
１１．送信手段
１２．受信手段
２１．サーバ  Ｒ−ＧＭＬＣ
２２．要求転送手段
２３．応答転送手段
２４．端末・ＲＡＮの測位能力情報を保持するキャッシュ
２５．更新確認手段
２６．更新判定手段
２７．測位能力要求手段
２８．保存手段
２９．測位精度算出手段
２Ａ．ＱｏＳ判定手段
２Ｂ．判定結果通知手段
３１．サーバ  Ｈ−ＧＭＬＣ
３２．端末・ＲＡＮの測位能力情報を保持するキャッシュ
３３．更新確認手段
３４．更新判定手段
３５．測位能力要求手段
３６．保存手段
３７．測位精度算出手段
３８．ＱｏＳ判定手段
３９．判定結果通知手段
４０．測位要求手段
５１．データベース  ＨＬＲ／ＨＳＳ
５２．端末・ＲＡＮの測位能力情報を記憶するメモリ
５３．更新確認応答手段
５４．測位能力応答手段
５５．保存手段
６１．サービングノード  ＶＭＳＣ／ＳＧＳＮ
６２．端末・ＲＡＮの測位能力情報を記憶するメモリ
６３．保存手段
６４．通知手段
７１．無線制御装置  ＲＮＣ
７２．端末・ＲＡＮ測位能力通知手段
８１．端末測位能力通知手段
８２．位置登録要求手段
８４．サーバ  Ｖ−ＧＭＬＣ
８５．ネットワークの測位能力を記憶するメモリ
８６．測位能力更新手段
８７．更新通知手段
８８．通知手段
９１．データベース  ＰＰＲ
９２．端末・ＲＡＮの測位能力情報を記憶するメモリ
９３．更新確認応答手段
９４．測位能力応答手段
９５．保存手段
１０１．ＬＣＳクライアント
１０２．データベース  ＨＬＲ／ＨＳＳ
１０３．サーバ  ＧＭＬＣ
１０４．サービングノード  ＭＳＣ／ＳＧＳＮ
１０５．無線制御装置  ＲＮＣ
１０６．無線基地局  Ｎｏｄｅ  Ｂ
１０７．端末  ＵＥ
２０１．ＬＣＳクライアントからＧＭＬＣへの測位要求
２０２．ＧＭＬＣからＨＬＲ／ＨＳＳへのＭＳＣ／ＳＧＳＮの宛先確認要求
２０３．ＨＬＲ／ＨＳＳからＧＭＬＣへのＭＳＣ／ＳＧＳＮの宛先確認要求に対する応答
２０４．ＧＭＬＣからＭＳＣ／ＳＧＳＮへの測位要求
２０５．ＭＳＣ／ＳＧＳＮと端末の間でのコネクション設定処理
２０６．ＭＳＣ／ＳＧＳＮからＲＮＣへの測位要求
２０７．ＲＡＮにおける測位処理
２０８．ＲＮＣからＭＳＣ／ＳＧＳＮへの測位結果通知
２０９．ＭＳＣ／ＳＧＳＮからＧＭＬＣへの測位結果通知
２１０．ＧＭＬＣからＬＣＳクライアントへの測位結果通知
３０１．ＬＣＳクライアントからＧＭＬＣへの測位要求
３０２．ＧＭＬＣからＬＣＳクライアントへの測位結果通知
４０１．ＲＮＣから端末へのページング
４０２．ＲＲＣ接続要求
４０３．ＲＲＣ接続開始
４０４．ＲＲＣ接続完了
５０１．ＬＣＳクライアント
５０２．サーバ  Ｒ−ＧＭＬＣ
５０３．サーバ  Ｈ−ＧＭＬＣ
５０４．データベース  ＨＬＲ／ＨＳＳ
５０５．サーバ  Ｖ−ＧＭＬＣ
５０６．サービングノード  ＶＭＳＣ／ＳＧＳＮ
５０７．無線制御装置  ＲＮＣ
５０８．無線基地局  Ｎｏｄｅ  Ｂ
５０９．端末  ＵＥ
５１０．移動体通信事業者Ａのネットワーク
５１１．移動体通信事業者Ｂのネットワーク
５１２．移動体通信事業者Ｃのネットワーク
６０１．ＬＣＳクライアントからＲ−ＧＭＬＣへの測位要求
６０２．Ｒ−ＧＭＬＣからＨＬＲ／ＨＳＳへのＨ−ＧＭＬＣの宛先確認要求
６０３．Ｒ−ＧＭＬＣからＨＬＲ／ＨＳＳへのＨ−ＧＭＬＣの宛先確認要求に対する応答
６０４．Ｒ−ＧＭＬＣからＨ−ＧＭＬＣへの測位要求
６０５．Ｈ−ＧＭＬＣからＨＬＲ／ＨＳＳへのＶＭＳＣ／ＳＧＳＮ、Ｖ−ＧＭＬＣの宛先確認要求
６０６．Ｈ−ＧＭＬＣからＨＬＲ／ＨＳＳへのＶＭＳＣ／ＳＧＳＮ、Ｖ−ＧＭＬＣの宛先確認要求に対する応答
６０７．Ｈ−ＧＭＬＣからＶ−ＧＭＬＣへの測位要求
６０８．Ｖ−ＧＭＬＣからＶＭＳＣ／ＳＧＳＮへの測位要求
６０９．ＶＭＳＣ／ＳＧＳＮと端末の間でのコネクション設定処理
６１０．ＶＭＳＣ／ＳＧＳＮからＲＮＣへの測位要求
６１１．ＲＡＮにおける測位処理
６１２．ＲＮＣからＶＭＳＣ／ＳＧＳＮへの測位結果通知
６１３．ＶＭＳＣ／ＳＧＳＮからＶ−ＧＭＬＣへの測位結果通知
６１４．Ｖ−ＧＭＬＣからＨ−ＧＭＬＣへの測位結果通知
６１５．Ｈ−ＧＭＬＣからＲ−ＧＭＬＣへの測位結果通知
６１６．Ｒ−ＧＭＬＣからＬＣＳクライアントへの測位結果通知
７０１．ＬＣＳクライアントからＲ−ＧＭＬＣへの測位要求
７０２．Ｒ−ＧＭＬＣからＨＬＲ／ＨＳＳへのＨ−ＧＭＬＣの宛先確認要求
７０３．Ｒ−ＧＭＬＣからＨＬＲ／ＨＳＳへのＨ−ＧＭＬＣの宛先確認要求に対する応答
７０４．Ｒ−ＧＭＬＣからＨ−ＧＭＬＣへの測位要求
７０５．Ｈ−ＧＭＬＣからＨＬＲ／ＨＳＳへのＶＭＳＣ／ＳＧＳＮ、Ｖ−ＧＭＬＣの宛先確認要求
７０６．Ｈ−ＧＭＬＣからＨＬＲ／ＨＳＳへのＶＭＳＣ／ＳＧＳＮ、Ｖ−ＧＭＬＣの宛先確認要求に対する応答
７０７．Ｈ−ＧＭＬＣからＶＭＳＣ／ＳＧＳＮへの測位要求
７０８．ＶＭＳＣ／ＳＧＳＮと端末の間でのコネクション設定処理
７０９．ＶＭＳＣ／ＳＧＳＮからＲＮＣへの測位要求
７１０．ＲＡＮにおける測位処理
７１１．ＲＮＣからＶＭＳＣ／ＳＧＳＮへの測位結果通知
７１２．ＶＭＳＣ／ＳＧＳＮからＨ−ＧＭＬＣへの測位結果通知
７１３．Ｈ−ＧＭＬＣからＲ−ＧＭＬＣへの測位結果通知
７１４．Ｒ−ＧＭＬＣからＬＣＳクライアントへの測位結果通知
８０１．端末からＶＭＳＣ／ＳＧＳＮへの位置登録要求
８０２．ＶＭＳＣ／ＳＧＳＮからＨＬＲ／ＨＳＳへの位置登録要求
８０３．ＨＬＲ／ＨＳＳからＶＭＳＣ／ＳＧＳＮへの加入者情報書き込み要求
８０４．ＨＬＲ／ＨＳＳからＶＭＳＣ／ＳＧＳＮへの加入者情報書き込み要求に対する応答
８０５．ＶＭＳＣ／ＳＧＳＮからＨＬＲ／ＨＳＳへの位置登録要求に対する応答
８０６．端末からＶＭＳＣ／ＳＧＳＮへの位置登録要求に対する応答
９０１．端末からＲＮＣに対する測位能力通知
９０２．ＲＮＣからＶＭＳＣ／ＳＧＳＮに対する端末・ＲＡＮ測位能力通知
９０３．端末・ＲＡＮの測位能力をＲＮＣに保存
９０４．端末からＶＭＳＣ／ＳＧＳＮへの位置登録要求
９０５．ＶＭＳＣ／ＳＧＳＮからＨＬＲ／ＨＳＳへの端末・ＲＡＮ測位能力通知
９０６．端末・ＲＡＮの測位能力をＨＬＲ／ＨＳＳに保存
９０７．ＬＣＳクライアントからＲ−ＧＭＬＣへの測位要求
９０８．Ｒ−ＧＭＬＣからＨ−ＧＭＬＣへの測位要求
９０９．Ｈ−ＧＭＬＣからＨＬＲ／ＨＳＳへの測位能力更新確認
９１０．Ｈ−ＧＭＬＣからＨＬＲ／ＨＳＳへの測位能力更新確認に対する応答
９１１．測位能力更新判定
９１２．Ｈ−ＧＭＬＣからＨＬＲ／ＨＳＳへ端末・ＲＡＮの測位能力確認
９１３．Ｈ−ＧＭＬＣからＨＬＲ／ＨＳＳへ端末・ＲＡＮの測位能力確認に対する応答
９１４．端末・ＲＡＮの測位能力をＨ−ＧＭＬＣに保存
９１５．測位精度算出
９１６．ＱｏＳ判定
９１７．Ｈ−ＧＭＬＣからＲ−ＧＭＬＣへ判定結果通知
９１８．Ｒ−ＧＭＬＣからＬＣＳクライアントへ判定結果通知
１００１．端末からＲＮＣへの測位能力通知
１００２．端末からＭＳＣ／ＳＧＳＮへの位置登録要求
１００３．ＭＳＣ／ＳＧＳＮからＲＮＣへの端末・無線アクセスネットワークの測位能力要求
１００４．ＲＮＣからＭＳＣ／ＳＧＳＮへの端末・無線アクセスネットワークの測位能力通知
１００５．ＭＳＣ／ＳＧＳＮへの端末・無線アクセスネットワークの測位能力保存
１００６．ＭＳＣ／ＳＧＳＮからＨＬＲ／ＨＳＳへの端末・無線アクセスネットワークの測位能力通知
１００７．ＨＬＲ／ＨＳＳへの端末・無線アクセスネットワークの測位能力保存
１１０１．端末からＭＳＣ／ＳＧＳＮへの位置登録要求
１１０２．ＭＳＣ／ＳＧＳＮからＲＮＣへの測位能力要求
１１０３．ＲＮＣからＭＳＣ／ＳＧＳＮへの測位能力通知
１１０４．ＭＳＣ／ＳＧＳＮへの無線アクセスネットワークの測位能力保存
１１０５．ＭＳＣ／ＳＧＳＮから端末への測位能力要求
１１０６．端末からＭＳＣ／ＳＧＳＮへの測位能力通知
１１０７．ＭＳＣ／ＳＧＳＮへの端末の測位能力保存
１１０８．ＭＳＣ／ＳＧＳＮからＨＬＲ／ＨＳＳへの端末・無線アクセスネットワークの測位能力通知
１１０９．ＨＬＲ／ＨＳＳへの端末・無線アクセスネットワークの測位能力保存
１２０１．ＬＣＳクライアントからＲ−ＧＭＬＣへの測位要求
１２０２．Ｒ−ＧＭＬＣからＨＬＲ／ＨＳＳへの測位能力更新確認
１２０３．ＨＬＲ／ＨＳＳからＲ−ＧＭＬＣへの測位能力更新応答
１２０４．Ｒ−ＧＭＬＣにおける測位能力更新判定
１２０５．Ｒ−ＧＭＬＣからＨＬＲ／ＨＳＳへの端末・無線アクセスネットワークの測位能力要求
１２０６．ＨＬＲ／ＨＳＳからＲ−ＧＭＬＣへの端末・無線アクセスネットワークの測位能力応答
１２０７．Ｒ−ＧＭＬＣにおける測位能力保存
１２０８．Ｒ−ＧＭＬＣにおける測位精度算出
１２０９．Ｒ−ＧＭＬＣにおけるＱｏＳ判定
１２１０．Ｒ−ＧＭＬＣからＬＣＳクライアントへのＱｏＳ判定結果通知
１３０１．端末からＲＮＣに対する測位能力通知
１３０２．ＲＮＣからＶＭＳＣ／ＳＧＳＮに対する端末の測位能力通知
１３０３．端末の測位能力をＲＮＣに保存
１３０４．端末からＶＭＳＣ／ＳＧＳＮへの位置登録要求
１３０５．ＶＭＳＣ／ＳＧＳＮからＨＬＲ／ＨＳＳへの端末の測位能力通知
１３０６．端末の測位能力をＨＬＲ／ＨＳＳに保存
１３０７．Ｖ−ＧＭＬＣで測位能力情報更新
１３０８．Ｖ−ＧＭＬＣからＨ−ＧＭＬＣへ測位能力情報更新を通知
１３０９．Ｖ−ＧＭＬＣからＨ−ＧＭＬＣへ測位能力情報更新を通知に対する応答
１３１０．Ｈ−ＧＭＬＣで端末の測位能力保存
１３１１．ＬＣＳクライアントからＲ−ＧＭＬＣへの測位要求
１３１２．Ｒ−ＧＭＬＣからＨ−ＧＭＬＣへの測位要求
１３１３．Ｈ−ＧＭＬＣからＨＬＲ／ＨＳＳへの測位能力更新確認
１３１４．Ｈ−ＧＭＬＣからＨＬＲ／ＨＳＳへの測位能力更新確認に対する応答
１３１５．測位能力更新判定
１３１６．Ｈ−ＧＭＬＣからＨＬＲ／ＨＳＳへ端末の測位能力確認
１３１７．Ｈ−ＧＭＬＣからＨＬＲ／ＨＳＳへ端末の測位能力確認に対する応答
１３１８．端末の測位能力をＨ−ＧＭＬＣに保存
１３１９．ＲＡＮの測位能力の情報の有無を判定
１３２０．Ｈ−ＧＭＬＣからＶ−ＧＭＬＣへＲＡＮの測位能力情報を要求
１３２１．Ｈ−ＧＭＬＣからＶ−ＧＭＬＣへＲＡＮの測位能力情報を要求に対する応答
１３２２．ＲＡＮの測位能力を保存
１３２３．ＱｏＳ判定
１３２４．Ｈ−ＧＭＬＣからＲ−ＧＭＬＣへ判定結果通知
１３２５．Ｒ−ＧＭＬＣからＬＣＳクライアントへ判定結果通知
１４０１．ＬＣＳクライアント
１４０２．サーバ  Ｒ−ＧＭＬＣ
１４０３．サーバ  Ｈ−ＧＭＬＣ
１４０４．データベース  ＨＬＲ／ＨＳＳ
１４０５．サーバ  Ｖ−ＧＭＬＣ
１４０６．サービングノード  ＶＭＳＣ／ＳＧＳＮ
１４０７．無線制御装置  ＲＮＣ
１４０８．無線基地局  Ｎｏｄｅ  Ｂ
１４０９．端末  ＵＥ
１４１０．移動体通信事業者Ａのネットワーク
１４１１．移動体通信事業者Ｂのネットワーク
１４１２．移動体通信事業者Ｃのネットワーク
１４１３．プライバシー・プロファイル・レジスター  ＰＰＲ
１５０１．端末からＲＮＣに対する測位能力通知
１５０２．ＲＮＣからＶＭＳＣ／ＳＧＳＮに対する端末・ＲＡＮ測位能力通知
１５０３．端末・ＲＡＮの測位能力をＲＮＣに保存
１５０４．端末からＶＭＳＣ／ＳＧＳＮへの位置登録要求
１５０５．ＶＭＳＣ／ＳＧＳＮからＰＰＲへの端末・ＲＡＮ測位能力通知
１５０６．端末・ＲＡＮの測位能力をＰＰＲに保存
１５０７．ＬＣＳクライアントからＲ−ＧＭＬＣへの測位要求
１５０８．Ｒ−ＧＭＬＣからＨ−ＧＭＬＣへの測位要求
１５０９．Ｈ−ＧＭＬＣからＰＰＲへの測位能力更新確認
１５１０．Ｈ−ＧＭＬＣからＰＰＲへの測位能力更新確認に対する応答
１５１１．測位能力更新判定
１５１２．Ｈ−ＧＭＬＣからＰＰＲへ端末・ＲＡＮの測位能力確認
１５１３．Ｈ−ＧＭＬＣからＰＰＲへ端末・ＲＡＮの測位能力確認に対する応答
１５１４．端末・ＲＡＮの測位能力をＨ−ＧＭＬＣに保存
１５１５．測位精度算出
１５１６．ＱｏＳ判定
１５１７．Ｈ−ＧＭＬＣからＲ−ＧＭＬＣへ判定結果通知
１５１８．Ｒ−ＧＭＬＣからＬＣＳクライアントへ判定結果通知
１６０１．端末からＲＮＣに対する測位能力通知
１６０２．ＲＮＣからＶＭＳＣ／ＳＧＳＮに対する端末・ＲＡＮ測位能力通知
１６０３．端末・ＲＡＮの測位能力をＲＮＣに保存
１６０４．端末からＶＭＳＣ／ＳＧＳＮへの位置登録要求
１６０５．ＶＭＳＣ／ＳＧＳＮからＨＬＲ／ＨＳＳへのＲＡＮ測位能力通知
１６０６．ＲＡＮの測位能力をＨＬＲ／ＨＳＳに保存
１６０７．ＶＭＳＣ／ＳＧＳＮからＰＰＲへの端末の測位能力通知
１６０８．端末の測位能力をＰＰＲに保存
１６０９．ＬＣＳクライアントからＲ−ＧＭＬＣへの測位要求
１６１０．Ｒ−ＧＭＬＣからＨ−ＧＭＬＣへの測位要求
１６１１．Ｈ−ＧＭＬＣからＨＬＲ／ＨＳＳへＲＡＮの測位能力更新確認
１６１２．Ｈ−ＧＭＬＣからＨＬＲ／ＨＳＳへのＲＡＮの測位能力更新確認に対する応答
１６１３．ＲＡＮの測位能力更新判定
１６１４．Ｈ−ＧＭＬＣからＨＬＲ／ＨＳＳへＲＡＮの測位能力確認
１６１５．Ｈ−ＧＭＬＣからＨＬＲ／ＨＳＳへＲＡＮの測位能力確認に対する応答
１６１６．ＲＡＮの測位能力をＨ−ＧＭＬＣに保存
１６１７．Ｈ−ＧＭＬＣからＰＰＲへ端末の測位能力更新確認
１６１８．Ｈ−ＧＭＬＣからＰＰＲへの端末の測位能力更新確認に対する応答
１６１９．端末の測位能力更新判定
１６２０．Ｈ−ＧＭＬＣからＰＰＲへ端末の測位能力確認
１６２１．Ｈ−ＧＭＬＣからＰＰＲへ端末の測位能力確認に対する応答
１６２２．  端末の測位能力をＨ−ＧＭＬＣに保存
１６２３．測位精度算出
１６２４．ＱｏＳ判定
１６２５．Ｈ−ＧＭＬＣからＲ−ＧＭＬＣへ判定結果通知
１６２６．Ｒ−ＧＭＬＣからＬＣＳクライアントへ判定結果通知
１７０１．ＬＣＳクライアントからＲ−ＧＭＬＣへの要求測位精度付き測位要求
１７０２．測位要求に要求する存在確率情報を付加する処理
１７０３．Ｒ−ＧＭＬＣからＨ−ＧＭＬＣへの要求測位精度、要求存在確率付き測位要求
１７０４．Ｈ−ＧＭＬＣからＶ−ＧＭＬＣへの要求測位精度、要求存在確率付き測位要求
１７０５．Ｖ−ＧＭＬＣからＶＭＳＣ／ＳＧＳＮへの要求測位精度、要求存在確率付き測位要求
１７０６．ＶＭＳＣ／ＳＧＳＮと端末の間でのコネクション設定処理
１７０７．ＶＭＳＣ／ＳＧＳＮからＲＮＣへの要求測位精度、要求存在確率付き測位要求
１７０８．ＲＡＮにおける測位処理
１７０９．ＲＮＣにおける要求精度を満足する存在確率を算出する処理
１７１０．ＲＮＣにおける存在確率を満足する測位精度を算出する処理
１７１１．ＲＮＣからＶＭＳＣ／ＳＧＳＮへの測位結果通知
１７１２．ＶＭＳＣ／ＳＧＳＮからＶ−ＧＭＬＣへの測位結果通知
１７１３．Ｖ−ＧＭＬＣからＨ−ＧＭＬＣへの測位結果通知
１７１４．Ｈ−ＧＭＬＣからＲ−ＧＭＬＣへの測位結果通知
１７１５．Ｒ−ＧＭＬＣからＬＣＳクライアントへの測位結果通知
１８０１．ＬＣＳクライアントからＲ−ＧＭＬＣへの要求測位精度付き測位要求
１８０２．測位要求に要求する存在確率情報を付加する処理
１８０３．Ｒ−ＧＭＬＣからＨ−ＧＭＬＣへの要求測位精度、要求存在確率付き測位要求
１８０４．Ｈ−ＧＭＬＣからＶＭＳＣ／ＳＧＳＮへの要求測位精度、要求存在確率付き測位要求
１８０５．  ＶＭＳＣ／ＳＧＳＮと端末の間でのコネクション設定処理
１８０６．ＶＭＳＣ／ＳＧＳＮからＲＮＣへの要求測位精度、要求存在確率付き測位要求
１８０７．ＲＡＮにおける測位処理
１８０８．ＲＮＣにおける要求精度を満足する存在確率を算出する処理
１８０９．ＲＮＣにおける存在確率を満足する測位精度を算出する処理
１８１０．ＲＮＣからＶＭＳＣ／ＳＧＳＮへの測位結果通知
１８１１．ＶＭＳＣ／ＳＧＳＮからＨ−ＧＭＬＣへの測位結果通知
１８１２．Ｈ−ＧＭＬＣからＲ−ＧＭＬＣへの測位結果通知
１８１３．Ｒ−ＧＭＬＣからＬＣＳクライアントへの測位結果通知
１９０１．ＬＣＳクライアントからＲ−ＧＭＬＣへの要求測位精度付き測位要求
１９０２．測位要求に要求する存在確率情報を付加する処理
１９０３．Ｒ−ＧＭＬＣからＨ−ＧＭＬＣへの要求測位精度、要求存在確率付き測位要求
１９０４．測位要求に付加された存在確率を加入者の希望値に修正する処理
１９０５．Ｈ−ＧＭＬＣからＶ−ＧＭＬＣへの要求測位精度、要求存在確率付き測位要求
１９０６．Ｖ−ＧＭＬＣからＶＭＳＣ／ＳＧＳＮへの要求測位精度、要求存在確率付き測位要求
１９０７．ＶＭＳＣ／ＳＧＳＮと端末の間でのコネクション設定処理
１９０８．ＶＭＳＣ／ＳＧＳＮからＲＮＣへの要求測位精度、要求存在確率付き測位要求
１９０９．ＲＡＮにおける測位処理
１９１０．ＲＮＣにおける要求精度を満足する存在確率を算出する処理
１９１１．ＲＮＣにおける存在確率を満足する測位精度を算出する処理
１９１２．ＲＮＣからＶＭＳＣ／ＳＧＳＮへの測位結果通知
１９１３．ＶＭＳＣ／ＳＧＳＮからＶ−ＧＭＬＣへの測位結果通知
１９１４．Ｖ−ＧＭＬＣからＨ−ＧＭＬＣへの測位結果通知
１９１５．Ｈ−ＧＭＬＣからＲ−ＧＭＬＣへの測位結果通知
１９１６．測位結果に含まれる存在確率とＬＣＳクライアントの要求する存在確率を比較判定する処理
１９１７．Ｒ−ＧＭＬＣからＬＣＳクライアントへの測位結果通知
２００１．ＬＣＳクライアントからＲ−ＧＭＬＣへの要求測位精度、要求存在確率付き測位要求
２００２．Ｒ−ＧＭＬＣからＨ−ＧＭＬＣへの要求測位精度、要求存在確率付き測位要求
２００３．Ｈ−ＧＭＬＣからＶ−ＧＭＬＣへの要求測位精度、要求存在確率付き測位要求
２００４．Ｖ−ＧＭＬＣからＶＭＳＣ／ＳＧＳＮへの要求測位精度、要求存在確率付き測位要求
２００５．ＶＭＳＣ／ＳＧＳＮと端末の間でのコネクション設定処理
２００６．ＶＭＳＣ／ＳＧＳＮからＲＮＣへの要求測位精度、要求存在確率付き測位要求
２００７．ＲＡＮにおける測位処理
２００８．ＲＮＣにおける要求精度を満足する存在確率を算出する処理
２００９．ＲＮＣにおける存在確率を満足する測位精度を算出する処理
２０１０．ＲＮＣからＶＭＳＣ／ＳＧＳＮへの測位結果通知
２０１１．ＶＭＳＣ／ＳＧＳＮからＶ−ＧＭＬＣへの測位結果通知
２０１２．Ｖ−ＧＭＬＣからＨ−ＧＭＬＣへの測位結果通知
２０１３．Ｈ−ＧＭＬＣからＲ−ＧＭＬＣへの測位結果通知
２０１４．Ｒ−ＧＭＬＣからＬＣＳクライアントへの測位結果通知
【図１】
2004158947.tif 000003
【図２】
2004158947.tif 000004
【図３】
2004158947.tif 000005
【図４】
2004158947.tif 000006
【図５】
2004158947.tif 000007
【図６】
2004158947.tif 000008
【図７】
2004158947.tif 000009
【図８】
2004158947.tif 000010
【図９】
2004158947.tif 000011
【図１０】
2004158947.tif 000012
【図１１】
2004158947.tif 000013
【図１２】
2004158947.tif 000014
【図１３】
2004158947.tif 000015
【図１４】
2004158947.tif 000016
【図１５】
2004158947.tif 000017
【図１６】
2004158947.tif 000018
【図１７】
2004158947.tif 000019
【図１８】
2004158947.tif 000020
【図１９】
2004158947.tif 000021
【図２０】
2004158947.tif 000022
【図２１】
2004158947.tif 000023
【図２２】
2004158947.tif 000024
【図２３】
2004158947.tif 000025
【図２４】
2004158947.tif 000026
【図２５】
2004158947.tif 000027
【図２６】
2004158947.tif 000028
【図２７】
2004158947.tif 000029
【図２８】
2004158947.tif 000030
【図２９】
2004158947.tif 000031
【図３０】
2004158947.tif 000032
【図３１】
2004158947.tif 000033
【図３２】
2004158947.tif 000034
【図３３】
2004158947.tif 000035